(57)【特許請求の範囲】
【請求項１】
無線通信システムにおける端末の動作方法において、
第１フィードバックモード（ｆｉｒｓｔ  ｆｅｅｄｂａｃｋ  ｍｏｄｅ）から第２フィードバックモード（ｓｅｃｏｎｄ  ｆｅｅｄｂａｃｋ  ｍｏｄｅ）に変更（ｓｗｉｔｃｈ）するための要請情報を基地局に送信する過程と、
前記基地局からフィードバックモード（ｍｏｄｅ）を割り当てるフィードバックチャネル割当情報を受信する過程と、
割り当てられたフィードバックモードに応じた高速フィードバックチャネルを介して前記基地局にフィードバック情報を報告（ｒｅｐｏｒｔ）する過程と、を含み、
前記高速フィードバックチャネルは前記フィードバックチャネル割当情報によって割り当てられ、
前記第１フィードバックモード及び前記第２フィードバックモードのうち一つは、端末が前記高速フィードバックチャネルを介して符号列（ｃｏｄｅ  ｓｅｑｕｅｎｃｅ）を送信するモードであり、
前記第１フィードバックモード及び前記第２フィードバックモードのうち他の一つは、端末が前記高速フィードバックチャネルを介して少なくとも一つのフィードバック情報シンボル及び少なくとも一つのパイロットシンボルを送信するモードであることを特徴とする方法。
【請求項２】
第１高速フィードバックチャネルが使用される場合、
前記要請情報を送信する過程は、フィードバック機会（ｆｅｅｄｂａｃｋ  ｏｐｐｏｒｔｕｎｉｔｙ）から前記第１高速フィードバックチャネルを介して基地局に要請情報を送信する過程を含むことを特徴とする請求項１に記載の方法。
【請求項３】
第２高速フィードバックチャネルが使用される場合、
前記要請情報を送信する過程は、
次のフィードバック機会において、前記第２高速フィードバックチャネルを介して第１高速フィードバックチャネルの伝送を指示する指示子（ｉｎｄｉｃａｔｏｒ）を前記基地局に送信する過程と、
前記次のフィードバック機会において、前記第１高速フィードバックチャネルを介して前記基地局に要請情報を送信する過程と、を含むことを特徴とする請求項１に記載の方法。
【請求項４】
前記要請情報は、第１高速フィードバックチャネル内の予め定義されたコードワード（ｃｏｄｅｗｏｒｄ）を含むことを特徴とする請求項１に記載の方法。
【請求項５】
前記フィードバック情報を報告する過程は、前記フィードバックチャネル割当情報が受信される場合に行われることを特徴とする請求項１に記載の方法。
【請求項６】
前記フィードバックチャネル割当情報が受信されない場合、以前の高速フィードバックチャネルを介してフィードバック情報を報告する過程を更に含むことを特徴とする請求項１に記載の方法。
【請求項７】
無線通信システムにおける基地局の動作方法において、
第１フィードバックモード（ｆｉｒｓｔ  ｆｅｅｄｂａｃｋ  ｍｏｄｅ）から第２フィードバックモード（ｓｅｃｏｎｄ  ｆｅｅｄｂａｃｋ  ｍｏｄｅ）に変更（ｓｗｉｔｃｈ）するための要請情報を端末から受信する過程と、
前記要請情報に基づいて前記端末のためのフィードバックモードを決定する過程と、
前記端末にフィードバックモード（ｍｏｄｅ）を割り当てるフィードバックチャネル割当情報を送信する過程と、
割り当てられたフィードバックモードに応じた高速フィードバックチャネルを介して前記基地局にフィードバック情報を受信する過程と、を含み、
前記高速フィードバックチャネルは前記フィードバックチャネル割当情報によって割り当てられ、
前記第１フィードバックモード及び前記第２フィードバックモードのうち一つは、前記端末が前記高速フィードバックチャネルを介して符号列（ｃｏｄｅ  ｓｅｑｕｅｎｃｅ）を送信するモードであり、
前記第１フィードバックモード及び前記第２フィードバックモードのうち他の一つは、前記端末が前記高速フィードバックチャネルを介して少なくとも一つのフィードバック情報シンボル及び少なくとも一つのパイロットシンボルを送信するモードであることを特徴とする方法。
【請求項８】
前記端末で第１高速フィードバックチャネルが使用される場合、
前記要請情報を受信する過程は、フィードバック機会（ｆｅｅｄｂａｃｋ  ｏｐｐｏｒｔｕｎｉｔｙ）から前記第１高速フィードバックチャネルを介して基地局に要請情報を受信する過程を含むことを特徴とする請求項７に記載の方法。
【請求項９】
前記端末で第２高速フィードバックチャネルが使用される場合、
前記要請情報を送信する過程は、
次のフィードバック機会において、前記第２高速フィードバックチャネルを介して第１  高速フィードバックチャネルの伝送を指示する指示子（ｉｎｄｉｃａｔｏｒ）を前記基地局に受信する過程と、
前記次のフィードバック機会において、前記第１高速フィードバックチャネルを介して前記基地局に要請情報を受信する過程と、を含むことを特徴とする請求項７に記載の方法。
【請求項１０】
前記要請情報は、第１高速フィードバックチャネル内の予め定義されたコードワード（ｃｏｄｅｗｏｒｄ）を含むことを特徴とする請求項７に記載の方法。
【請求項１１】
前記フィードバック情報を受信する過程は、前記フィードバックチャネル割当情報が受信される場合に行われることを特徴とする請求項７に記載の方法。
【請求項１２】
前記フィードバックチャネル割当情報が送信されない場合、以前の高速フィードバックチャネルを介してフィードバック情報を受信する過程を更に含むことを特徴とする請求項７に記載の方法。
【請求項１３】
無線通信システムにおける端末装置において、
第１フィードバックモード（ｆｉｒｓｔ  ｆｅｅｄｂａｃｋ  ｍｏｄｅ）から第２フィードバックモード（ｓｅｃｏｎｄ  ｆｅｅｄｂａｃｋ  ｍｏｄｅ）に変更（ｓｗｉｔｃｈ）するための要請情報を基地局に送信する送信部と、
前記基地局からフィードバックモード（ｍｏｄｅ）を割り当てるフィードバックチャネル割当情報を受信する受信部と、
割り当てられたフィードバックモード及び前記フィードバックチャネル割当情報によって割り当てられる高速フィードバックチャネルを判断し、割り当てられたフィードバックモードに応じた高速フィードバックチャネルを介して前記基地局にフィードバック情報を報告（ｒｅｐｏｒｔ）するように制御する決定部と、を含み、
前記第１フィードバックモード及び前記第２フィードバックモードのうち一つは、端末が前記高速フィードバックチャネルを介して符号列（ｃｏｄｅ  ｓｅｑｕｅｎｃｅ）を送信するモードであり、
前記第１フィードバックモード及び前記第２フィードバックモードのうち他の一つは、端末が前記高速フィードバックチャネルを介して少なくとも一つのフィードバック情報シンボル及び少なくとも一つのパイロットシンボルを送信するモードであることを特徴とする装置。
【請求項１４】
第１高速フィードバックチャネルが使用される場合、
前記送信部は、フィードバック機会（ｆｅｅｄｂａｃｋ  ｏｐｐｏｒｔｕｎｉｔｙ）から前記第１高速フィードバックチャネルを介して基地局に要請情報を送信することを特徴とする請求項１３に記載の装置。
【請求項１５】
第２高速フィードバックチャネルが使用される場合、
前記送信部は、次のフィードバック機会で前記第２高速フィードバックチャネルを介して第１高速フィードバックチャネルの伝送を指示する指示子（ｉｎｄｉｃａｔｏｒ）を前記基地局に送信し、前記次のフィードバック機会で前記第１高速フィードバックチャネルを介して前記基地局に要請情報を送信することを特徴とする請求項１３に記載の装置。
【請求項１６】
前記要請情報は、第１高速フィードバックチャネル内の予め定義されたコードワード（ｃｏｄｅｗｏｒｄ）を含むことを特徴とする請求項１３に記載の装置。
【請求項１７】
前記決定部は、前記フィードバックチャネル割当情報が受信される場合、前記フィードバック情報を報告するように制御することを特徴とする請求項１３に記載の装置。
【請求項１８】
前記決定部は、前記フィードバックチャネル割当情報が受信されない場合、以前の高速フィードバックチャネルを介してフィードバック情報を報告するように制御することを特徴とする請求項１３に記載の装置。
【請求項１９】
無線通信システムにおける基地局装置において、
第１フィードバックモード（ｆｉｒｓｔ  ｆｅｅｄｂａｃｋ  ｍｏｄｅ）から第２フィードバックモード（ｓｅｃｏｎｄ  ｆｅｅｄｂａｃｋ  ｍｏｄｅ）に変更（ｓｗｉｔｃｈ）するための要請情報を端末から受信する受信部と、
前記要請情報に基づいて前記端末のためのフィードバックモードを決定する管理部と、
前記端末にフィードバックモード（ｍｏｄｅ）を割り当てるフィードバックチャネル割当情報を送信する送信部と、を含み、
前記受信部は、割り当てられたフィードバックモードに応じた高速フィードバックチャネルを介して前記基地局にフィードバック情報を受信し、
前記高速フィードバックチャネルは前記フィードバックチャネル割当情報によって割り当てられ、
前記第１フィードバックモード及び前記第２フィードバックモードのうち一つは、前記端末が前記高速フィードバックチャネルを介して符号列（ｃｏｄｅ  ｓｅｑｕｅｎｃｅ）を送信するモードであり、
前記第１フィードバックモード及び前記第２フィードバックモードのうち他の一つは、前記端末が前記高速フィードバックチャネルを介して少なくとも一つのフィードバック情報シンボル及び少なくとも一つのパイロットシンボルを送信するモードであることを特徴とする装置。
【請求項２０】
前記端末で第１高速フィードバックチャネルが使用される場合、
前記受信部は、フィードバック機会（ｆｅｅｄｂａｃｋ  ｏｐｐｏｒｔｕｎｉｔｙ）から前記第１高速フィードバックチャネルを介して基地局に要請情報を受信することを特徴とする請求項１９に記載の装置。
【請求項２１】
前記端末で第２高速フィードバックチャネルが使用される場合、
前記受信部は、次のフィードバック機会で前記第２高速フィードバックチャネルを介して第１高速フィードバックチャネルの伝送を指示する指示子（ｉｎｄｉｃａｔｏｒ）を前記基地局に受信し、前記次のフィードバック機会で前記第１高速フィードバックチャネルを介して前記基地局に要請情報を受信することを特徴とする請求項１９に記載の装置。
【請求項２２】
前記要請情報は、第１高速フィードバックチャネル内の予め定義されたコードワード（ｃｏｄｅｗｏｒｄ）を含むことを特徴とする請求項１９に記載の装置。
【請求項２３】
前記受信部は、前記フィードバックチャネル割当情報が送信される場合、前記フィードバック情報を受信することを特徴とする請求項１９に記載の装置。
【請求項２４】
前記受信部は、前記フィードバックチャネル割当情報が送信されない場合、以前の高速フィードバックチャネルを介してフィードバック情報を受信することを特徴とする請求項１９に記載の装置。
【発明の詳細な説明】
【技術分野】
【０００１】
本発明は、広帯域無線通信システムに関し、特に広帯域無線通信システムにおいて高速フィードバック（ｆａｓｔ  ｆｅｅｄｂａｃｋ）チャネルを介して情報を送受信するための装置及び方法に関する。
【背景技術】
【０００２】
次世代通信システムである４世代（４ｔｈ Ｇｅｎｅｒａｔｉｏｎ、以下‘４Ｇ'と称する）通信システムにおいては、約１００Ｍｂｐｓの送信速度を利用して多様なサービス品質（Ｑｕａｌｉｔｙ ｏｆ Ｓｅｒｖｉｃｅ、以下‘ＱｏＳ’と称する）を有するサービスをユーザに提供するための活発な研究が進められている。その代表的な通信システムがＩＥＥＥ（Ｉｎｓｔｉｔｕｅｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１６である。前記ＩＥＥＥ  ８０２．１６システムは、物理チャネル（Ｐｈｙｓｉｃａｌ  Ｃｈａｎｎｅｌ）においての広帯域（Ｂｒｏａｄｂａｄｎ）送信ネットワークを支援するための直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，  以下’ＯＦＤＭ’と称する）／直交周波数分割多重接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ，  以下’ＯＦＤＭＡ’と称する）方式を採用した通信システムである。
【０００３】
前記ＩＥＥＥ  ８０２．１６システムのような広帯域無線通信システムにて、セル内の端末は、周波数及び時間の軸で割当てられた別の物理チャネルを介して順方向チャネルの状態を示すことができるフィードバック（ｆｅｅｄｂａｃｋ）情報を周期的に基地局へ送信する。代表的なフィードバック情報として、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏｎ）及びＭＣＳ（Ｍｏｄｕｌａｔｉｏｎ  ａｎｄ  Ｃｏｄｉｎｇ  Ｓｃｈｅｍｅ）レベルのようなＣＱＩ（Ｃｈａｎｎｅｌ  Ｑｕａｌｉｔｙ  Ｉｎｄｉｃａｔｉｏｎ）情報、優秀なチャネル特性を有するサブバンド情報、ＭＩＭＯ（ＭｕｌｔｉｐｌｅＩｎｐｕｔＭｕｌｔｉｐｌｅＯｕｔｐｕｔ）のプレコーディング行列インデックス（ＰＭＩ:ｐｒｅｃｏｄｉｎｇｍａｔｒｉｘｉｎｄｅｘ）などの多様な情報があるフィードバック情報のうち、少ない情報量を有するけれど通信システム運用にあって非常に重要なことから、セルの境界を含めたセル領域を支援できるような高い信頼性が保証されなければならない情報があり、高いＳＮＲ（ＳｉｇｎａｌｔｏＮｏｉｓｅＲａｔｉｏ）環境で運用されるＭＩＭＯモードの支援のために多量の情報量を有する情報が存在する。
【０００４】
セルの全体領域を支援しなければならない高速フィードバック（ｆａｓｔｆｅｅｄｂａｃｋ）チャネルは、情報量は少ないが低いＳＮＲ領域まで支援できるように強靭に設計されなければならない。したがって、前記ＩＥＥＥ  ８０２．１６システムのような通信システムにおいて、前記高速フィードバックチャネルのために非コーヒレント（ｎｏｎｃｏｈｅｒｅｎｔ）変復調技術が採用される。すなわち、送信端は送信しようとする情報に該当する符号列を割り当てられた資源に配置させた後に送信し、受信端は受信信号に対してすべての符号列各々との相関（ｃｏｒｒｅｌａｔｉｏｎ）値のうち最大値に対応する符号列を検索する。
【０００５】
近年、マルチメディア技術の発展及び需要の増大は、高いデータ送信率を必要とすることになり、これを支援するために最近開発される通信システムにおいては、ＭＩＭＯのような向上した技術を積極的に活用しようとしている既存のＣＱＩ情報程度をフィードバック情報として活用する通信システムと異なり、ＣＬ（Ｃｌｏｓｅｄ−Ｌｏｏｐ）−ＭＩＭＯのような技術は、プリコーディング行列インデックス、ランク（ｒａｎｋ）など比較的に多量のフィードバック情報を必要とする。しかし、前記高速フィードバックチャネルを介して送信可能なフィードバック情報の量は、前記符号列の長さによって制限される。万一、符号列の長さ以上のフィードバック情報を送信しようとする場合、多数の高速フィードバックチャネルが一つの端末に割り当てられなければならない。
【０００６】
上述した通り、多い量のフィードバック情報が要求されることによって、現在の高速フィードバックチャネルの運用方式では要求される量の情報を效率よく送信することができない。したがって、多様なフィードバック情報が存在する広帯域無線通信システムにおいて、制限された資源量を有する高速フィードバックチャネルを效率よく運用するための代案を必要とする。
【発明の概要】
【発明が解決しようとする課題】
【０００７】
本発明の目的は、上述した問題点及び短所を解決するためのことであり、以下のような利点のうち少なくとも一つを提供する。本発明の目的は、広帯域無線通信システムにおける制限された資源量を有する高速フィードバックチャネルを效率よく運用するための装置及び方法を提供することにある。
【０００８】
本発明の他の目的は、広帯域無線通信システムにおける高速フィードバックチャネルに非コーヒレント変復調方式及びコーヒレント変復調方式を選択的に適用するための装置及び方法を提供することにある。
【０００９】
本発明のさらに他の目的は、広帯域無線通信システムにおける高速フィードバックチャネルのモード転換を要請するための装置及び方法を提供することにある。
【００１０】
本発明のさらに他の目的は、広帯域無線通信システムにおけるフィードバック情報の形態に応じて高速フィードバックチャネルのモードを決定するための装置及び方法を提供することにある。
【課題を解決するための手段】
【００１１】
上記の目的を達成するための本発明の第１見地によれば、少なくとも二つ以上のモードを支援する高速フィードバックチャネルを使用する広帯域無線通信システムにおける端末の動作方法は、第１モードの高速フィードバックチャネルを介して送信されるフィードバック信号の生成及び送信する過程と、前記高速フィードバックチャネルのモードを前記第１モードから第２モードに転換することを判断する過程と、前記高速フィードバックチャネルのモード転換のための信号を前記高速フィードバックチャネルを介して送信する過程と、前記第２モードの高速フィードバックチャネルを介して送信されるフィードバック信号の生成及び送信する過程とを含むことを特徴とする。
【００１２】
上記の目的を達成するための本発明の第２見地によれば、少なくとも二つ以上のモードを支援する高速フィードバックチャネルを使用する広帯域無線通信システムにおける基地局の動作方法は、高速フィードバックチャネルを介して受信されるフィードバック信号から第１モードによってフィードバック情報を検出する過程と、前記高速フィードバックチャネルを介して前記第１モードから第２モードへのモード転換を要請する信号を受信する過程と、前記高速フィードバックチャネルを介して受信されるフィードバック信号から前記第２モードによってフィードバック情報を検出する過程とを含むことを特徴とする。
【００１３】
上記の目的を達成するための本発明の第３見地によれば、少なくとも二つ以上のモードを支援する高速フィードバックチャネルを使用する広帯域無線通信システムにおける端末装置は、第１モードの高速フィードバックチャネルを介して送信されるフィードバック信号を生成する第１構成器と、第２モードの高速フィードバックチャネルを介して送信されるフィードバック信号を生成する第２構成器と、前記フィードバック信号を送信する送信器と、前記高速フィードバックチャネルのモードによって前記第１構成器及び前記第２構成器のフィードバック信号生成動作を制御して、前記高速フィードバックチャネルのモードを前記第１モードから前記第２モードに転換すると判断されると、前記高速フィードバックチャネルのモード転換のための信号を前記高速フィードバックチャネルを介して送信するよう制御して、前記第２モードに転換する決定器とを含むことを特徴とする。
【００１４】
上記の目的を達成するための本発明の第４見地によると、少なくとも二つ以上のモードを支援する高速フィードバックチャネルを使用する広帯域無線通信システムにて基地局装置は、高速フィードバックチャネルを介して受信されるフィードバック信号から第１モードによってフィードバック情報を検出する第１検出器と、前記高速フィードバックチャネルを介して受信されるフィードバック信号から前記第２モードによってフィードバック情報を検出する第２検出器と、フィードバックチャネルのモードによって前記第１検出器及び前記第２検出器の動作を制御して、前記高速フィードバックチャネルを介して前記第１モードから第２モードへのモード転換を要請する信号が確認されると前記第１検出器の検出動作を中断させ、前記第２モードによってフィードバック情報を検出するよう前記第２検出器を制御する管理器とを含むことを特徴とする。
【００１５】
本発明の他の見地、利益、重要な特徴は、以下の添付された本発明の実施の形態及び図面とともに説明される詳細な説明から当業者に明白に認識されるはずである。
【図面の簡単な説明】
【００１６】
【図１】図１は、本発明に係る広帯域無線通信システムにおける高速フィードバックチャネル（ｆａｓｔｆｅｅｄｂａｃｋｃｈａｎｎｅｌ）の構造の例を示す図である。
【図２】図２は、本発明に係る広帯域無線通信システムにおけるＢＦＣＨ（ＢａｓｉｃＦｅｅｄｂａｃｋＣｈａｎｎｅｌ）の構造の例を示す図である。
【図３】図３は、本発明に係る広帯域無線通信システムにおけるＥＦＣＨ（ＥｎｈａｎｃｅｄＦｅｅｄｂａｃｋＣｈａｎｎｅｌ）の構造の例を示す図である。
【図４】図４は、本発明に係る広帯域無線通信システムにおけるＥＦＣＨを介して送信されるビット列の構造の例を示す図である。
【図５】図５は、本発明の実施の形態に係る広帯域無線通信システムにおけるＢＦＣＨからＥＦＣＨに転換する過程を示す図である。
【図６】図６は、本発明の実施の形態に係る広帯域無線通信システムにおける基地局の制御によってＢＦＣＨからＥＦＣＨに転換する過程を示す図である。
【図７】図７は、本発明の実施の形態に係る広帯域無線通信システムにおいてＢＦＣＨモードの符号列を利用してＥＦＣＨからＢＦＣＨに転換する過程を示す図である。
【図８】図８は、本発明の実施の形態に係る広帯域無線通信システムにおいてＥＦＣＨモードの指示子を利用してＥＦＣＨからＢＦＣＨに転換する過程を示す図である。
【図９】図９は、本発明の実施の形態に係る広帯域無線通信システムにおいてＥＦＣＨモードの指示子を利用してＥＦＣＨから一時的にＢＦＣＨに転換する過程を示す図である。
【図１０】図１０は、本発明の実施の形態に係る広帯域無線通信システムにおいてＥＦＣＨモードの指示子を利用してＥＦＣＨから一時的にＢＦＣＨに転換した後、ＢＦＣＨモードの符号列を利用してＢＦＣＨに転換する過程を示す図である。
【図１１】図１１は、本発明の実施の形態に係る広帯域無線通信システムにおいて周期的にＢＦＣＨモードに転換すると共にＥＦＣＨモードの指示子を利用してＥＦＣＨから一時的にＢＦＣＨに転換する過程を示す図である。
【図１２】図１２は、本発明の実施の形態に係る広帯域無線通信システムにおける基地局の制御なし、フィードバックモードを転換する端末の動作手順を示す図である。
【図１３Ａ】図１３Ａは、本発明の実施の形態に係る広帯域無線通信システムにおけるフィードバックモード転換に対する制御をしない基地局の動作手順を示す図である。
【図１３Ｂ】図１３Ｂは、本発明の実施の形態に係る広帯域無線通信システムにおけるフィードバックモード転換に対する制御をしない基地局の動作手順を示す図である。
【図１４】図１４は、本発明の実施の形態に係る広帯域無線通信システムにおける基地局の制御によってＢＦＣＨモードからＥＦＣＨモードに転換する端末の動作手順を示す図である。
【図１５】図１５は、本発明の実施の形態に係る広帯域無線通信システムにおけるＢＦＣＨモードからＥＦＣＨモードへの転換に対する制御を行う基地局の動作手順を示す図である。
【図１６】図１６は、本発明の実施の形態に係る広帯域無線通信システムにおける一時的にＥＦＣＨモードからＢＦＣＨモードに転換する端末の動作手順を示す図である。
【図１７】図１７は、本発明の実施の形態に係る広帯域無線通信システムにおける一時的にＥＦＣＨモードからＢＦＣＨモードに転換する端末に対応する基地局の動作手順を示す図である。
【図１８Ａ】図１８Ａは、本発明の実施の形態に係る広帯域無線通信システムにおける一時的にＢＦＣＨモードに転換し、一時的ＢＦＣＨモードを介してＢＦＣＨモード転換を要請する端末の動作手順を示す図である。
【図１８Ｂ】図１８Ｂは、本発明の実施の形態に係る広帯域無線通信システムにおける一時的にＢＦＣＨモードに転換し、一時的ＢＦＣＨモードを介してＢＦＣＨモード転換を要請する端末の動作手順を示す図である。
【図１９】図１９は、本発明の実施の形態に係る広帯域無線通信システムにおける一時的にＢＦＣＨモードに転換し、一時的ＢＦＣＨモードを介してＢＦＣＨモード転換を要請する端末に対応する基地局の動作手順を示す図である。
【図２０】図２０は、本発明の実施の形態に係る広帯域無線通信システムにおける周期的にＢＦＣＨモードに転換するとともに一時的ＢＦＣＨモード転換を要請する端末の動作手順を示す図である。
【図２１】図２１は、本発明の実施の形態に係る広帯域無線通信システムにおける周期的にＢＦＣＨモードに転換するとともに一時的ＢＦＣＨモード転換を要請する端末に対応する基地局の動作手順を示す図である。
【図２２】図２２は、本発明の実施の形態に係る広帯域無線通信システムにおける端末のブロック構成を示す図である。
【図２３Ａ】図２３Ａは、本発明の実施の形態に係る広帯域無線通信システムにおける端末のブロック構成を示す図である。
【図２３Ｂ】図２３Ｂは、本発明の実施の形態に係る広帯域無線通信システムにおける端末のブロック構成を示す図である。
【図２４】図２４は、本発明の実施の形態に係る広帯域無線通信システムにおける基地局のブロック構成を示す図である。
【図２５】図２５は、本発明の実施の形態に係る広帯域無線通信システムにおける基地局のブロック構成を示す図である。
【図２６】図２６は、本発明の実施の形態に係る広帯域無線通信システムにおける基地局のブロック構成を示す図である。
【発明を実施するための形態】
【００１７】
前記図面の中、参照番号は同様であるか、または類似の要素、特徴、構造を説明するために用いられる。
【００１８】
以下の図面を参照した説明は、請求の範囲及びこれと同様なことにより定義される本発明の実施の形態の包括的な理解を助けるために提供される。以下の説明は、理解を助けるために多様で具体的な細部事項を含むが、単に例示として扱うだけである。したがって、本発明の思想や範囲を抜け出さない限度内で実施の形態の多様な変形及び修正が可能であることは勿論である。また、公知の器能及び構造の説明は、明確性のため略する。
【００１９】
以下の説明及び請求の範囲で用いられる用語及び単語は、書誌的の意味に制限されず、単に発明の明確性及び理解のためである。したがって、当業者に、以下の説明される本発明の実施の形態は、説明の目的にすぎなく特許請求の範囲及びこれと同様なことにより定義される発明を制限するためではない。
【００２０】
以下、本発明は、広帯域無線通信システムにおける制限された資源量を有する高速フィードバック（ｆａｓｔｆｅｅｄｂａｃｋ）チャネルを效率よく運用するための技術に対して説明する。以下の本発明は、直交周波数分割多重（ＯｒｔｈｏｇｏｎａｌＦｒｅｑｕｅｎｃｙＤｉｖｉｓｉｏｎＭｕｌｔｉｐｌｅｘｉｎｇ、以下‘ＯＦＤＭ'と称する）／直交周波数分割多重接続（ＯｒｔｈｏｇｏｎａｌＦｒｅｑｕｅｎｃｙＤｉｖｉｓｉｏｎＭｕｌｔｉｐｌｅＡｃｃｅｓｓ、以下‘ＯＦＤＭＡ'と称する）方式の無線通信システムを例に挙げて説明し、他の方式の無線通信システムにおいても同様に適用されることができる。
【００２１】
図１は、本発明による広帯域無線通信システムにおける高速フィードバックチャネル（ｆａｓｔｆｅｅｄｂａｃｋｃｈａｎｎｅｌ）の構造の例を示している。
【００２２】
図１を参考すると、本発明は、図１に示すような形態の高速フィードバックチャネルを仮定する。すなわち、前記図１に示すように、高速フィードバックチャネルは、３個の副搬送波束１１１、１１３、１１５から構成し、各の副搬送波束は２個の副搬送波及び６個のＯＦＤＭシンボルを含む。言い換えると、一つの副搬送波束は１２個の変調シンボルを含む。しかし、本発明は、他の形態の高速フィードバックチャネルを使用する無線通信システムにおいても同様に適用されることができる。
【００２３】
本発明による広帯域無線通信システムは、制限された資源量を有する高速フィードバックチャネルを效率よく運用するために、図２及び図３に示すような２つの形態の高速フィードバックチャネルを選択的に使用する。以下では説明の便宜のために、本発明は、前記図２に示すような形態の高速フィードバックチャネルをＢＦＣＨ（ＢａｓｉｃＦｅｅｄｂａｃｋＣｈａｎｎｅｌ）と称し、前記図３に示すような形態の高速フィードバックチャネルをＥＦＣＨ（ＥｎｈａｎｃｅｄＦｅｅｄｂａｃｋＣｈａｎｎｅｌ）と称する。本発明の実施形態において、前記ＢＦＣＨ及び前記ＥＦＣＨは、２個の連続する副搬送波及び６個のＯＦＤＭシンボルから構成されたタイル（ｔｉｌｅ）を基本構造として用い、タイルの構造は、具体的な実施の形態によって任意の周波数及び時間で変形が可能である。
【００２４】
図２は、本発明による広帯域無線通信システムにおけるＢＦＣＨ（ＢａｓｉｃＦｅｅｄｂａｃｋＣｈａｎｎｅｌ）の構造の例を示している。
【００２５】
前記図２を参考すると、前記ＢＦＣＨは非コーヒレント（ｎｏｎｃｏｈｅｒｅｎｔ）変復調技術が適用された高速フィードバックチャネルであり、１２の長さを有する符号列Ｃｋが送信される。すなわち、前記ＢＦＣＨにおいて、符号列Ｃｋの各元素Ｃｋ、０からＣｋ、１１がタイル内の各トーンに配置され、ダイバーシティ利得のために多数のタイルに重複的に配置されることができる。
【００２６】
図３は、本発明による広帯域無線通信システムにおけるＥＦＣＨ（ＥｎｈａｎｃｅｄＦｅｅｄｂａｃｋＣｈａｎｎｅｌ）の構造の例を示している。
【００２７】
前記図３を参考すると、前記ＥＦＣＨはコーヒレント（ｃｏｈｅｒｅｎｔ）変復調技術か適用され、パイロットシンボルを含む高速フィードバックチャネルとして、４個のパイロットシンボル及び８個のフィードバック情報シンボルが送信される。すなわち、前記ＥＦＣＨにおいて、コーヒレント復調のために一部のトーンにパイロットシンボルが割り当てられる。そして、チャネル符号化及び変調されたフィードバック情報シンボルは、前記パイロットシンボルが割り当てられたトーンを除いたトーンに割り当てられるここで、前記パイロットシンボルの個数及び位置は、他の形態に変形できる。
【００２８】
前記図１に示すように、実施の形態のような高速フィードバックチャネルが３個のタイルから構成された場合、前記ＥＦＣＨを介して送信可能な情報の量は、１／２符号化率のチャネル符号化を使用した場合、２４ビットであり、１／３符号化率のチャネル符号化を使用した場合、１６ビットであることから、前記ＢＦＣＨを介して送信可能な情報の量に比べて多い。さらに、パイロットシンボルの個数及び符号化率を異なって設定することによって、前記ＥＦＣＨを介して送信可能な情報の量は調節できる。
【００２９】
本発明による広帯域無線通信システムにおいて、高速フィードバックチャネルは、ＢＦＣＨを基本としてフィードバック情報の量の増加によってＥＦＣＨに変更される。勿論、ＥＦＣＨを適用中、フィードバック情報の量の減少によってＢＦＣＨへの変更もできる。
【００３０】
本発明による広帯域無線通信システムにて用いられるＢＦＣＨは、ＣＱＩ情報送信を目的に用いられるセル全体領域を支援できる基本的なフィードバックチャネルである。すなわち、前記ＢＦＣＨは、基地局と端末との間に通信が成立されると基本的に端末に割り当てられ、端末は前記基地局から割り当てた周期によって持続的にＣＱＩ情報をフィードバックする。例えば、前記ＢＦＣＨのための符号列は、下記表１とように６ビットの情報量を有し、ＣＱＩ情報を示すために５ビットを使用する。
【００３１】
【表１】
0005543461.tif 000002
【００３２】
前記表１を参考すると、符号列Ｃ０からＣ３１はＣＱＩ情報を表示するために用いられ、符号列Ｃ３２からＣ６２はその他用途に用いられ、符号列Ｃ６２はＢＦＣＨモードからＥＦＣＨモードへの転換要請のために用いられ、符号列Ｃ６３はＥＦＣＨモードからＢＦＣＨモードへの転換要請のために用いられる。例えば、前記その他用途としては、帯域要請（ｂａｎｄｗｉｄｔｈ  ｒｅｑｕｅｓｔ）、選好ＭＩＭＯモード（ｐｒｅｆｅｒｒｅｄ  ＭＩＭＯ  ｍｏｄｅ）、周波数部分選択（ｆｒｅｑｕｅｎｃｙ  ｐａｒｔｉｔｉｏｎ  ｓｅｌｃｔｉｏｎ）などを含む。
【００３３】
前記フィードバックチャネルのモード転換は、フィードバック情報の種類の変化によって決定され、前記フィードバック情報の種類は、端末の動作モードによって決定される。結果的に、前記フィードバックチャネルのモードは端末の動作モードによって決定される。したがって、上述のように、前記Ｅ１コード及び前記Ｅ２コードのようにモード転換のため専用的に割り当てられた符号列がモード転換を要請するために用いられることもできるが、他の実施の形態によって、前記その他の用途に割り当てられた符号列のうち前記選好ＭＩＭＯモードを知らせるための符号列が前記モード転換を要請する符号列として用いられることもできる。この場合、可用なフィードバックチャネルのモードとして、ＥＦＣＨ及びＢＦＣＨの２種類でなく多数のＥＦＣＨら及びＢＦＣＨを含む３種類以上のモードが存在することができる。
【００３４】
前記図１のような構造の高速フィードバックチャネルが用いられる場合、符号列を構成するトーンの個数は1２個である。すなわち、符号列の長さは１２である１２の長さを有する符号列を考慮する際、直交符号列集合を構成すれば、前記表１のように６４個の符号列が生成されない。よって、前記図１のような構造の高速フィードバックチャネルを介して６４個の符号列を送受信するため、本発明は、準直交符号列集合を利用することができる。言い換えると、本発明による広帯域無線通信システムは、互いに異なる直交部分符号列において可能なすべての組合から構成された符号列を用いるものの、同じ組合から構成された符号列に互いに異なる位相ベクトルを組合することによって６４個の準直交符号列を用いる。例えば、４個の直交部分符号列が存在する場合、総１６個の組合が可能であり、１６個の組合各々に４個の位相ベクトルを適用することによって６４個の準直交符号列が生成される。上述の方式によって生成された準直交符号列集合の一例は下記表２〜表３のようである。
【００３５】
【表２】
0005543461.tif 000003
【表３】
0005543461.tif 000004
【００３６】
前記ＢＦＣＨを用いる端末がＭＩＭＯモードを支援するためのフィードバック情報を送信しようとする場合、情報量の制限により前記ＢＦＣＨを介したフィードバック情報の送信は不可能である。この場合、前記端末は前記ＥＦＣＨへの転換を決定して、これを基地局に知らせるために予め定められたＥ１コードをＢＦＣＨを介して送信する。この時、基地局はＢＦＣＨを介して前記端末のフィードバック情報を受信している状態であるから、相関値を利用した符号列検出を介して前記Ｅ１コードを検出することになる。これによって、前記基地局は端末のＥＦＣＨモードへの転換要請を認識し、次のフレームで前記端末の高速フィードバックチャネルをＥＦＣＨモードに転換する。ここで、前記ＢＦＣＨ及び前記ＥＦＣＨは同じ資源構造を有することからＥＦＣＨモードへの転換のための追加的な資源割り当て手順は不要である。他の場合として、基地局が前記ＥＦＣＨモードへの転換を指示する場合、システムはマップ（ｍａｐ）メッセージ内にフィードバックチャネルタイプ（ｔｙｐｅ）変換フィールドを定義し、前記基地局は前記フィードバックチャネルタイプ変換フィールドを利用して前記ＥＦＣＨモードへの転換を指示する。更に他の場合として、要請及び許可のステップを要する場合、前記端末のモード転換要請して、これによって、前記基地局が前記マップメッセージを利用してモード転換を許容する。
【００３７】
以後、端末がセル境界への移動などによりＳＮＲが低くなることによって、ＭＩＭＯモードの支援が不可能にあることからフィードバック情報量が減少する場合、前記端末は再びＢＦＣＨモードへの復帰を決定して、これを基地局に知らせる。この場合、本発明は２つの方案を提案する。第１方式は、ＥＦＣＨのためのフィードバック情報のうちＢＦＣＨモードへの転換を知らせるフィールドを定義して、ＢＦＣＨモードへの転換を要請する場合フィールドのビットを１に、ＥＦＣＨモードを維持する場合ビットを０に設定する方式である。第１方式によるＥＦＣＨを介して送信されるフィードバックビット列の構成の例は図４のようである。すなわち、前記図４に示すように、フィードバックビット列は情報ビット列４１０及びモード転換表示ビット４２０から構成する。第２方式は、前記ＢＦＣＨのための符号列中ＢＦＣＨモードへの転換要請のためのＥ２コードを定義して、端末が前記Ｅ２コードを送信することによってＢＦＣＨへの復帰を要請する方式である。第２方式の場合、基地局と端末はすべてＥＦＣＨモードの高速フィードバックチャネルを使用中であるので、基地局はＥＦＣＨモードによるコーヒレント復調及びＢＦＣＨモードによる非コーヒレント復調を並行しなければならない。他の場合として、前記ＢＦＣＨモードへの転換を基地局から指示する場合、システムはマップメッセージ内にフィードバックチャネルタイプ変換フィールドを定義して、前記基地局は前記フィードバックチャネルタイプ変換フィールドを利用して前記ＢＦＣＨモードへの転換を指示する。更に他の場合として、要請及び許可を要する場合、前記端末のモード転換要請をして、これによって、前記基地局が前記マップメッセージを用いてモード転換を許容する。
【００３８】
上述の２種類の方式のうち、一つの方式を介して端末のＢＦＣＨモードへの転換要請を認知した基地局は次のフレームからＢＦＣＨモードへの転換を決定する。本発明の具体的な実施の形態によって、前記２種類の方式すべてが各端末の選択により使用したり、または、前記２種類の方式のうち一つのみを用いることもできる。前記第２方式を用いる場合、まず基地局はＥＦＣＨモードの高速フィードバックチャネルを介して受信されたフィードバックビット列の検出を試みて、前記検出過程でエラーが発生すると、前記基地局はＥ２コードの検出を試みる。
【００３９】
以下の本発明は、上述のモード転換方式によるＢＦＣＨモード及びＥＦＣＨモード間転換の具体的な実施の様子を説明する。
【００４０】
図５は、本発明の実施の形態による広帯域無線通信システムにおいてＢＦＣＨからＥＦＣＨに転換する過程を示している。
【００４１】
前記図５を参考すると、端末５０２はＢＦＣＨモードのフィードバックチャネルを介して基地局５０４にフィードバック情報を送信する。この際、前記フィードバック情報は周期的に送信される前記ＢＦＣＨモードで動作中、ＥＦＣＨモードへの転換を決定した前記端末５０２は、ＢＦＣＨモードのフィードバックチャネルを介してモード転換要請符号列５１０を送信する。例えば、前記モード転換要請符号列５１０は、ＢＦＣＨモードからＥＦＣＨモードへの転換のために専用的に割り当てられたＥ１コード、及び転換しようとする目標ＥＦＣＨモードに対応する選好ＭＩＭＯモードを示す符号列の中の一つである。 以後、前記端末５０２はＥＦＣＨモードに転換して、ＥＦＣＨモードのフィードバックチャネルを介して周期的にフィードバック情報を送信する。ここで、ＢＦＣＨモードのフィードバック周期及びＥＦＣＨのフィードバック周期は、同じであるかまたは異なってもよい。
【００４２】
図６は、本発明の実施の形態に係る広帯域無線通信システムにおいて基地局の制御によってＢＦＣＨからＥＦＣＨに転換する過程を示している。
【００４３】
前記図６を参考すると、端末６０２はＢＦＣＨモードのフィードバックチャネルを介して基地局６０４へフィードバック情報を送信する。この際、前記フィードバック情報は周期的に送信される。前記ＢＦＣＨモードで動作中、ＥＦＣＨモードへの転換を決定した前記端末６０２は、ＢＦＣＨモードのフィードバックチャネルを介してモード転換要請符号列６１０を送信する。例えば、前記モード転換要請符号列６１０は、ＢＦＣＨモードからＥＦＣＨモードへの転換のために専用的に割り当てられたＥ１コード、及び転換しようとする目標ＥＦＣＨモードに対応する選好ＭＩＭＯモードを示す符号列の中の一つである。この実施の形態の場合、前記図５に示した実施の形態とは異なり、前記モード転換要請符号列６１０のみでモード転換がなされることなく、前記基地局６０４の許可を要する。したがって、前記端末６０２は前記モード転換要請符号列６１０を送信した後、前記ＢＦＣＨモードを維持する。この際、前記基地局６０４は前記端末のモード転換要請に対する受諾有無を判断して、受諾することが決定されると、フィードバックチャネル割り当て情報６２０を送信する。前記フィードバックチャネル割り当て情報６２０は、フィードバックチャネルの位置、フィードバック周期、フィードバックモードを示す情報などを含む。すなわち、前記フィードバックチャネル割り当て情報６２０が用いられる場合、フィードバックチャネルの位置が変わることができる。前記フィードバックチャネル割り当て情報６２０が受信されることによって、前記端末６０２はＥＦＣＨモードに転換して、ＥＦＣＨモードのフィードバックチャネルを介して周期的にフィードバック情報を送信する。ここで、ＢＦＣＨモードのフィードバック周期及びＥＦＣＨのフィードバック周期は、同じであるかまたは異なってもよい。
【００４４】
図７は、本発明の実施の形態に係る広帯域無線通信システムにおいてＢＦＣＨモードの符号列を利用してＥＦＣＨからＢＦＣＨに転換する過程を示す図である。
【００４５】
前記図７を参考すると、端末７０２はＥＦＣＨモードのフィードバックチャネルを介して基地局７０４へフィードバック情報を送信する。この際、前記フィードバック情報は周期的に送信される。前記ＥＦＣＨモードで動作中、ＢＦＣＨモードへの転換を決定した前記端末７０２は、前記ＢＦＣＨモードに転換して、前記ＢＦＣＨモードのフィードバックチャネルを介してモード転換要請符号列７１０を送信する。例えば、前記モード転換要請符号列７１０は、ＥＦＣＨモードからＢＦＣＨモードへの転換のために専用的に割り当てられたＥ２コード、及び、ＢＦＣＨモードを用いる選好ＭＩＭＯモードを示す符号列の中の一つである。以後、前記端末５０２は前記ＢＦＣＨモードのフィードバックチャネルを介して周期的にフィードバック情報を送信する。ここで、ＥＦＣＨモードのフィードバック周期及びＢＦＣＨのフィードバック周期は同一であるかまたは異なってもよい。
【００４６】
図８は、本発明の実施の形態に係る広帯域無線通信システムにおいてＥＦＣＨモードの指示子を用いてＥＦＣＨからＢＦＣＨに転換する過程を示している。
【００４７】
前記図８を参考すると、端末８０２はＥＦＣＨモードのフィードバックチャネルを介して基地局０４へフィードバック情報を送信する。この際、前記フィードバック情報は周期的に送信される。前記ＥＦＣＨモードで動作中、ＢＦＣＨモードへの転換を決定した前記端末８０２は、前記ＥＦＣＨモードのフィードバックチャネルを介してモード転換要請を含むフィードバック情報８１０を送信する。例えば、前記モード転換要請は、前記図４で示すようにアクティブになったモード転換表示ビットを意味する。すなわち、前記モード転換要請を示す指示子は、ＥＦＣＨモードによって送信されるフィードバック情報に含まれており、モード変更を要請する場合アクティブになった値に、モード変更を要請しない場合非アクティブになった値に設定される。ただ、前記ＥＦＣＨモードによって送信されるフィードバック情報は、多様な形式を有することができ、この場合、すべての形式のフィードバック情報が前記指示子を含めるか、または一部形式のフィードバック情報のみが前記指示子を含めることもできる。以後、前記端末８０２は前記ＢＦＣＨモードに転換して、前記ＢＦＣＨモードのフィードバックチャネルを介して周期的にフィードバック情報を送信する。ここで、ＥＦＣＨモードのフィードバック周期及びＢＦＣＨのフィードバック周期は、同じであるかまたは異なってもよい。
【００４８】
図９は、本発明の実施の形態に係る広帯域無線通信システムにおいてＥＦＣＨモードの指示子を用いてＥＦＣＨから一時的にＢＦＣＨに転換する過程を示している。
【００４９】
前記図９を参考すると、端末９０２はＥＦＣＨモードのフィードバックチャネルを介して基地局９０４へフィードバック情報を送信する。この際、前記フィードバック情報は周期的に送信される。前記ＥＦＣＨモードで動作中、ＢＦＣＨモードへの転換を決定した前記端末９０２は、前記ＥＦＣＨモードのフィードバックチャネルを介してモード転換要請を含むフィードバック情報９１０を送信する。例えば、前記モード転換要請は、前記図４で示すようにアクティブになったモード転換表示ビットを意味する。すなわち、前記モード転換要請を示す指示子は、ＥＦＣＨモードによって送信されるフィードバック情報に含まれており、モード変更を要請する場合アクティブになった値に、モード変更を要請しない場合非アクティブになった値に設定される。ただ、前記ＥＦＣＨモードによって送信されるフィードバック情報は、多様な形式を有することができ、この場合、すべての形式のフィードバック情報が前記指示子を含めるか、または一部形式のフィードバック情報のみが前記指示子を含めることもできる。本実施の形態の場合、前記図８に示した実施の形態とは異なり、前記モード転換要請を介して完全なモード転換されることなく、一時的なＢＦＣＨモードへの転換がなされる。以後、前記端末９０２は前記ＢＦＣＨモードに転換して、区間Ｋ９２０間前記ＢＦＣＨモードのフィードバックチャネルを介して周期的にフィードバック情報を送信した後、また前記ＥＦＣＨモードに転換する。ここで、ＥＦＣＨモードのフィードバック周期及びＢＦＣＨのフィードバック周期は、同じであるかまたは異なってもよい。
【００５０】
図１０は、本発明の実施の形態に係る広帯域無線通信システムにおいて、ＥＦＣＨモードの指示子を用いてＥＦＣＨから一時的にＢＦＣＨに転換した後、ＢＦＣＨモードの符号列を用いてＢＦＣＨに転換する過程を示している。
【００５１】
前記図１０を参考すると、端末１００２はＥＦＣＨモードのフィードバックチャネルを介して基地局１００４へフィードバック情報を送信する。この際、前記フィードバック情報は周期的に送信される。前記ＥＦＣＨモードで動作中、ＢＦＣＨモードへの転換を決定した前記端末１００２は、前記ＥＦＣＨモードのフィードバックチャネルを介してモード転換要請を含むフィードバック情報１０１０を送信する。例えば、前記モード転換要請は、前記図４で示すようにアクティブになったモード転換表示ビットを意味する。すなわち、前記モード転換要請を示す指示子は、ＥＦＣＨモードによって送信されるフィードバック情報に含まれており、モード変更を要請する場合アクティブになった値に、モード変更を要請しない場合非アクティブになった値に設定される。ただ、前記ＥＦＣＨモードによって送信されるフィードバック情報は、多様な形式を有することができ、この場合、すべての形式のフィードバック情報が前記指示子を含めるか、または一部形式のフィードバック情報のみが前記指示子を含めることもできる。本実施の実施の場合、前記モード転換要請を介して完全なモード転換されることなく、一時的なＢＦＣＨモードに転換される。以後、前記端末１００２は前記ＢＦＣＨモードに転換して、区間Ｋ１０２０間前記ＢＦＣＨモードのフィードバックチャネルを介して周期的にフィードバック情報を送信した後、再び前記ＥＦＣＨモードに転換する。この際、前記端末１００２は前記区間Ｋ１０２０間前記ＢＦＣＨモードのフィードバックチャネルを介してモード転換要請符号列１０３０を送信する例えば、前記モード転換要請符号列７１０は、ＥＦＣＨモードからＢＦＣＨモードへの転換のために専用的に割り当てられたＥ２コード、及び、ＢＦＣＨモードを用いる選好ＭＩＭＯモードを示す符号列の中の一つである。前記図１０にて、前記モード転換要請符号列１０３０が最後のＢＦＣＨモードのフィードバックとして送信されることが示されたが、前記モード転換要請符号列１０３０は、第１目のＢＦＣＨモードのフィードバックまたは他の位置のフィードバックを介して送信されてもよい。本実施の形態の場合、前記モード転換要請符号列１０３０のみでモード転換されることなく、前記基地局１００４の許可を要する。したがって、前記端末１００２は前記区間Ｋ１０２０の終了に従って前記ＥＦＣＨモードに転換した後、前記ＥＦＣＨモードのフィードバックチャネルを介してフィードバック情報を送信する。この際、前記基地局１００４は前記端末１００２のモード転換要請に対する受諾有無を判断して、受諾することが決定されると、フィードバックチャネル割り当て情報１０４０を送信する。前記フィードバックチャネル割り当て情報１０４０は、フィードバックチャネルの位置、フィードバック周期、フィードバックモードを示す情報などを含む。すなわち、前記フィードバックチャネル割り当て情報１０４０が用いられる場合、フィードバックチャネルの位置が変わることができる。前記フィードバックチャネル割り当て情報１０４０が受信されることによって、前記端末１００２はＢＦＣＨモードに転換して、ＢＦＣＨモードのフィードバックチャネルを介して周期的にフィードバック情報を送信するここで、ＢＦＣＨモードのフィードバック周期及びＥＦＣＨのフィードバック周期は、同じであるかまたは異なってもよい。
【００５２】
図１１は、本発明の実施の形態に係る広帯域無線通信システムにおいて周期的にＢＦＣＨモードに転換すると共にＥＦＣＨモードの指示子を用いてＥＦＣＨから一時的にＢＦＣＨに転換する過程を示す図である。
【００５３】
前記図１１を参考すると、端末１１０２はＥＦＣＨモードで動作中、周期的にＢＦＣＨモードに転換するここで、周期的なＢＦＣＨモードへの転換の間隔は、フレーム個数またはフィードバック回数に定義される。また、毎ＢＦＣＨモードへの転換の際、前記ＢＦＣＨモードが維持される区間の長さは、フレーム個数またはフィードバック回数に定義される。例えば、前記周期的はＢＦＣＨモードへの転換は１２８フレームごとに１回のフィードバックに定義されることができる。また、本実施の形態はＥＦＣＨモードのフィードバックチャネルを介したモード転換要請により一時的にＢＦＣＨモードに転換することを許容する。これによって、前記ＥＦＣＨモードで動作中、ＢＦＣＨモードへの転換を決定した前記端末１１０２は、前記ＥＦＣＨモードのフィードバックチャネルを介してモード転換要請を含むフィードバック情報１１１０を送信する。例えば、前記モード転換要請は、前記図４で示すようにアクティブになったモード転換表示ビットを意味する。すなわち、前記モード転換要請を示す指示子は、ＥＦＣＨモードによって送信されるフィードバック情報に含まれており、モード変更を要請する場合アクティブになった値に、モード変更を要請しない場合非アクティブになった値に設定される。ただ、前記ＥＦＣＨモードによって送信されるフィードバック情報は、多様な形式を有することができ、この場合、すべての形式のフィードバック情報が前記指示子を含めるか、または一部形式のフィードバック情報のみが前記指示子を含めることもできる。以後、前記端末１１０２は前記ＢＦＣＨモードに転換して、区間Ｋ１１２０間前記ＢＦＣＨモードのフィードバックチャネルを介して周期的にフィードバック情報を送信した後、再び前記ＥＦＣＨモードに転換する。
【００５４】
前記図５から前記図１１を参考して説明した実施の形態において、本発明は単一のＥＦＣＨモードを仮定した。しかし、他の実施の形態によって、フィードバック情報の種類によって含まれるパラメータの項目が相異な多数のＥＦＣＨモードが存在することができる。この場合、ＢＦＣＨモードからＥＦＣＨモードへの転換を要請するモード転換要請符号列として、前記多数のＥＦＣＨモードに対応する多数の符号列が割り当てられることができる。また、一つのＥＦＣＨモードからもう一つのＥＦＣＨモードへの転換を行うこともできるＥＦＣＨモード間の転換のため前記図７から前記図１１に示す実施の形態が活用することができる。
【００５５】
以下の本発明は、上述したように高速フィードバックチャネルを運用する端末及び基地局の動作手順及びブロック構成を図面を参考して詳細に説明する。
【００５６】
図１２は、本発明の実施の形態による広帯域無線通信システムにおいて端末のフィードバック情報送信手順を示している。図１２は、基地局の許可を必要としない実施の形態が適用された場合の端末の動作を示している。
【００５７】
前記図１２を参考すると、１２０１ステップで前記端末はフィードバック情報の送信時点であるか判断する。前記端末は基地局から割り当てられた高速フィードバックチャネルを介して周期的にフィードバック情報を送信するので、前記端末は以前フィードバック情報送信以後、一周期が経過したか確認する。
【００５８】
前記フィードバック情報の送信時点であれば、前記端末は１２０３ステップに進行しフィードバック情報を生成する。ここで、前記フィードバック情報はＣＱＩ、選好サブバンドインデックス、ＭＩＭＯモードのためのプレコーディング行列インデックス及びランクのうち少なくとも一つの項目を含む。この際、前記フィードバック情報に含まれる項目は、ダウンリンクチャネルのＳＮＲにより決定され、チャネルが優秀なほど多くの項目が含まれる。そして、前記フィードバック情報に含まれる項目によって高速フィードバックチャネルのモードが決定される。
【００５９】
前記フィードバック情報を生成した後、前記端末は１２０５ステップに進行してフィードバック情報の送信形態がＢＦＣＨモードに対応されるかまたはＥＦＣＨモードに対応されるか判断する。すなわち、前記端末は前記１２０３ステップで生成されたフィードバック情報がＢＦＣＨへ送信されるフィードバック情報であるかまたはＥＦＣＨに送信されるフィードバック情報であるか確認する。
【００６０】
万一、前記フィードバック情報の送信の形態がＢＦＣＨモードに対応されると、前記端末は１２０７ステップに進行して現在の高速フィードバックチャネルがＢＦＣＨモードであるか確認する。すなわち、前記端末は高速フィードバックチャネルのモードを転換しなければならないのか可否を判断する万一、前記高速フィードバックチャネルがＢＦＣＨモードであれば、前記端末は１２１１ステップに進行する。
【００６１】
一方、前記高速フィードバックチャネルがＢＦＣＨモードでなければ、前記端末は１２０９ステップに進行してＢＦＣＨモードへの転換のためのコードまたはアクティブになったモード転換表示ビットを含むビット列を送信する。ここで、前記ＢＦＣＨモードへの転換のためのコードは、ＢＦＣＨを介して送信される符号列のうち一つであり、前記アクティブになったモード転換表示ビットを含むビット列は、ＥＦＣＨを介して送信されるビット列である。よって、前記ＢＦＣＨモードへの転換のためのコードを送信する場合、前記端末はＢＦＣＨを構成及び送信して、前記アクティブになったモード転換表示ビットを含むビット列を送信する場合、前記端末はＥＦＣＨを構成及び送信する。この際、前記ＢＦＣＨモードへの転換のためのコードまたは前記アクティブになったモード転換表示ビットを含むビット列のうちどれが送信されるかは、本発明の実施の形態によって異なる。
【００６２】
以後、前記端末は１２１１ステップに進行して前記１２０３ステップで生成されたフィードバック情報と対応する符号列を選択する。言い換えると、前記端末は前記フィードバック情報と対応するペイロードを選択した後、ＢＦＣＨのための符号列のうち前記ペイロードと対応する符号列を選択する。
【００６３】
前記符号列を選択した後、前記端末は１２１３ステップに進行して前記符号列を利用してＢＦＣＨを構成した後、前記ＢＦＣＨを送信する。すなわち、前記端末はコーヒレント変調方式によって高速フィードバックチャネルを介して送信されるフィードバック信号を生成する。詳しく説明すると、前記端末は前記符号列を複素シンボルに変換して、前記複素シンボルをＢＦＣＨ構造によって配置することによってＢＦＣＨを構成する。そして、前記端末は前記ＢＦＣＨを高速フィードバックチャネルのために割り当てられた資源を介して送信する。
【００６４】
前記１２０５ステップにて、前記フィードバック情報の送信の形態がＥＦＣＨモードに対応されると、前記端末は１２１７ステップに進行して現在の高速フィードバックチャネルがＥＦＣＨモードであるか確認する。すなわち、前記端末は高速フィードバックチャネルのモードを転換しなければならないのか可否を判断する。万一、前記高速フィードバックチャネルがＥＦＣＨモードであれば、前記端末は１２２１ステップに進行する。
【００６５】
一方、前記高速フィードバックチャネルがＥＦＣＨモードでなければ、前記端末は１２１９ステップに進行してＥＦＣＨモードへの転換のためのコードを送信する。ここで、前記ＥＦＣＨモードへの転換のためのコードは、ＢＦＣＨを介して送信される符号列のうちの一つである。よって、前記端末は前記ＥＦＣＨモードへの転換のためのコードを用いてＢＦＣＨを構成及び送信する。
【００６６】
以後、前記端末は１２２１ステップに進行して前記１２０３ステップで生成されたフィードバック情報を符号化及び変調する。言い換えると、前記端末は前記フィードバック情報を符号化及び変調することによってＥＦＣＨを介して送信される複素シンボルを生成する。
【００６７】
前記フィードバック情報を符号化及び変調した後、前記端末は１２２３ステップに進行して前記複素シンボルを用いてＥＦＣＨを構成した後、前記ＥＦＣＨを送信する。すなわち、前記端末はコーヒレント変調方式によって高速フィードバックチャネルを介して送信されるフィードバック信号を生成する。言い換えると、前記端末は前記複素シンボル及びパイロットシンボルをＥＦＣＨの構造によって配置することによってＥＦＣＨを構成する。そして、前記端末は前記ＥＦＣＨを高速フィードバックチャネルのために割り当てられた資源を介して送信する。
【００６８】
図１３Ａと図１３Ｂは、本発明の実施の形態による広帯域無線通信システムにおける基地局のフィードバック情報受信手順を示している。前記図１３Ａと図１３Ｂは、一つの端末に対する前記基地局のフィードバック情報受信手順を示している。万一、前記基地局が多数の端末と通信を行う場合、前記図１３Ａと図１３Ｂに示す手順は多数の端末の個数だけ同時に行うこともできる。図１３Ａと図１３Ｂは、基地局の許可を必要としない実施の形態が適用された場合の端末の動作を示している。
【００６９】
前記図１３Ａと図１３Ｂを参考すると、前記基地局は１３０１ステップで高速フィードバック情報が受信されるか確認する。すなわち、前記基地局は前記高速フィードバックチャネルを介してフィードバック情報が受信されるか確認する。
【００７０】
前記フィードバック情報が受信されると、前記基地局は１３０３ステップに進行して前記高速フィードバックチャネルが現在ＢＦＣＨモードであるかまたはＥＦＣＨモードであるか確認する。すなわち、前記基地局は前記高速フィードバックチャネルを介して受信された信号の復調方式を判断する。
【００７１】
万一、前記高速フィードバックチャネルが現在ＢＦＣＨモードであれば、前記基地局は１３０５ステップに進行して候補符号列各々と受信された信号との相関値を用いて送信符号列を検出する。すなわち、前記基地局は非コーヒレント復調方式によって高速フィードバックチャネルを介して受信される信号から送信符号列を検出する詳しく説明すると、前記基地局は使用可能な符号列各々と受信された信号との相関値を算出する。この際、前記基地局は多数のタイル各々に対して相関値を算出した後、前記相関値ごとを自乗演算する。そして、前記基地局は各のタイルからの相関値のうち、同じ候補符号列から算出された自乗相関値を合算した後、最大の自乗相関値の合計に対応する候補符号列を検索する。
【００７２】
前記符号列を検出した後、前記基地局は１３０７ステップに進行して検出された符号列がＥ１コードであるか確認する。言い換えると、前記基地局は検出された符号列がＥＦＣＨモードへの転換のための符号列であるか確認する。この際、本発明の他の実施の形態によって、前記ＥＦＣＨモードへの転換のための符号列は前記Ｅ１コードでなくＥＦＣＨモードを使用する選好ＭＩＭＯモードを示す符号列になることができる。
【００７３】
万一、前記検出された符号列がＥ１コードでなければ、前記基地局は１３０９ステップに進行して前記検出された符号列からフィードバック情報を確認する。言い換えると、前記基地局は前記検出された符号列と対応するペイロードを確認した後、前記ペイロードと対応するフィードバック情報を確認する。例えば、前記基地局は前記フィードバック情報を介して端末のＣＱＩを確認する。
【００７４】
一方、前記検出された符号列がＥ１コードであると、前記基地局は１３１１ステップに進行して次のフレームで高速フィードバックチャネルをＥＦＣＨモードに転換することを決定する。これによって、次のフレームにて、前記基地局はＥＦＣＨモードによってフィードバック情報を検出する。
【００７５】
前記１３０３ステップにて、前記高速フィードバックチャネルが現在ＥＦＣＨモードであれば、前記基地局は１３１３ステップに進行してチャネルの推定、復調及び復号化を介してフィードバックビット例を検出する。すなわち、前記基地局はコーヒレント復調方式によって高速フィードバックチャネルを介して受信される信号からフィードバックビット例を検出する。詳しく説明すると、前記基地局は前記高速フィードバックチャネルを介して受信された信号のうちパイロットシンボルを抽出した後、チャネルを推定する。続いて、前記基地局は推定されたチャネルを用いて情報シンボルのチャネル歪曲を補償して、前記情報シンボルを復調及び復号化する。
【００７６】
前記フィードバックビット列を検出した後、前記基地局は１３１５ステップに進行して検出されたビット列にエラーが発生の有無を確認する。例えば、前記基地局はＣＲＣ（Ｃｙｃｌｉｃ  Ｒｅｄｕｎｄａｎｃｙ  Ｃｈｅｃｋ）処理、チャネル復号化に対する信頼の評価などを通じてエラー発生の有無を確認する。
【００７７】
万一、エラーが発生しなければ、前記基地局は１３１７ステップに信号してフィードバック情報を確認する。言い換えると、前記基地局は前記フィードバックビット列を情報ビット列及びモード転換表紙ビットにし区分して、前記情報ビット列に含まれたフィードバック情報を確認する。たとえば、前記基地局は前記フィードバック情報を介して端末のＣＱＩ，  選好サブバンド、プレコーディング行列インデックス、ランクなどを確認する。
【００７８】
前記フィードバック情報を確認した後、前記基地局は１３１９ステップに進行して前記モード転換表示ビットがアクティブになっているか確認する。言い換えると、前記基地局は前記モード転換表示ビットが１に設定されたか確認する。すなわち、前記基地局は前記端末からＢＦＣＨモードへの転換が要請されたか判断する。万一、前記モード転換表示ビットがアクティブになっていると、前記基地局は１３２５ステップに進行する。
【００７９】
前記１３１５ステップにて、エラー発生があれば、前記基地局は１３２１ステップに進行して候補符号列各々と受信された信号との相関値を用いて送信符号列を検出する。詳しく説明すると、前記基地局は使用可能な符号列各々と受信された信号との相関値を算出する。この際、前記基地局は多数のタイル各々に対して相関値を算出した後、前記相関値ごとを自乗演算する。そして、前記基地局は各のタイルからの相関値のうち、同じ候補符号列から算出された自乗相関値を合算した後、最大の自乗相関値の合計に対応する候補符号列を検索する。
【００８０】
前記符号列を検出した後、前記基地局は１３２３ステップに進行して検出された符号列がＥ２コードであるか確認する。言い換えると、前記基地局は検出された符号列がＢＦＣＨモードへの転換のための符号列であるか確認する。すなわち、前記基地局は前記端末からＢＦＣＨモードへの転換が要請されたか判断する。この際、本発明の他の実施の形態によって、前記ＢＦＣＨモードへの転換要請有無は、選好ＭＩＭＩＯモードを示す符号列の受信の有無を介して判断されることができる。この場合、前記基地局は前記選好ＭＩＭＯモードを示す符号列の受信の有無を確認する。
【００８１】
万一、前記検出された符号列がＥ２コードであると、前記基地局は１３２５ステップに進行して次のフレームで高速フィードバックチャネルをＢＦＣＨモードに転換することを決定する。これによって、次のフレームにて、前記基地局はＢＦＣＨモードによってフィードバック情報を検出する。
【００８２】
前記図１３Ａと図１３Ｂに示した基地局の動作手順にて、前記基地局はＢＦＣＨモードへの転換をためのＥ２コード及びモード転換表示ビットのアクティブ有無の検出をすべて試みる。しかし、具体的な実施の形態の構成によって、前記基地局が前記ＢＦＣＨモードへの転換のためのＥ２コードの検出を試みないことによって、前記１３２１ステップ及び前記１３２３ステップが略されるか、または、前記基地局がモード転換表示ビットのアクティブ有無の検出を試みないことによって、前記１３１９ステップは略されることができる。
【００８３】
図１４は、本発明の実施の形態に係る広帯域無線通信システムにおける基地局の制御によってＢＦＣＨモードからＥＦＣＨモードに転換する端末の動作手順を示す図である。
【００８４】
前記図１４を参考すると、前記端末は１４０１ステップでフィードバック情報の送信時点であるか判断する。前記端末は基地局から割り当てられた高速フィードバックチャネルを介して周期的にフィードバック情報を送信するので、前記端末は以前フィードバック情報送信以後、一周期が経過したか確認する。この際、前記周期はフィードバックチャネルのモードによって決定される。現在、前記端末のフィードバックチャネルはＢＦＣＨモードである。
【００８５】
前記フィードバック情報の送信時点であれば、前記端末は１４０３ステップに進行してＢＦＣＨモードによってフィードバック情報を送信する。詳しく説明すると、前記端末はフィードバック情報を生成して、前記フィードバック情報と対応する符号列を選択する。そして、前記端末は前記符号列を複素シンボルに変換して、前記複素シンボルをＢＦＣＨモードのフィードバックチャネルを介して送信する。以後、前記端末は前記１４０１ステップに戻る。
【００８６】
前記フィードバック情報の送信時点でなければ、前記端末は１４０５ステップに進行してＥＦＣＨモードへの転換が必要であるか判断する。前記ＥＦＣＨモードへの転換は、フィードバック情報の種類の変化によって決定され、前記フィードバック情報の種類は、端末の動作モードによって決定される。例えば、ＭＩＭＯモードで動作しようとする場合、前記端末は前記ＥＦＣＨモードへの転換を決定する。万一、前記ＥＦＣＨモードへの転換が必要でなければ、前記端末は前記１４０１ステップに戻る。
【００８７】
一方、前記ＥＦＣＨモードへの転換が必要であれば、前記端末は１４０７ステップに進行してＢＦＣＨモードのモード転換要請符号列を送信する。言い換えると、前記端末はＢＦＣＨモードから送信可能な多数の符号列のうちモード転換要請のため割り当てられた符号列を選択して、前記符号列を複素シンボルに変換して、前記複素シンボルをＢＦＣＨモードのフィードバックチャネルを介して送信する。例えば、前記モード転換要請符号列は、ＢＦＣＨモードからＥＦＣＨモードへの転換のために専用的に割り当てられたＥ１コード、及び、ＥＦＣＨモードを用いる選好ＭＩＭＯモードを示す符号列の中の一つである。
【００８８】
続いて、前記端末は１４０９ステップに進行してフィードバック情報の送信時点であるか判断する。前記端末は基地局から割り当てられた高速フィードバックチャネルを介して周期的にフィードバック情報を送信するので、前記端末は以前フィードバック情報送信以後、一周期が経過したか確認する。この際、前記周期はフィードバックチャネルのモードによって決定される。現在、モード転換要請符号列を送信したが、前記基地局から許可がなかったので、前記フィードバックチャネルはＢＦＣＨモードである。
【００８９】
前記フィードバック情報の送信時点であれば、前記端末は１４１１ステップに進行してＢＦＣＨモードによってフィードバック情報を送信する。詳しく説明すると、前記端末はフィードバック情報を生成して、前記フィードバック情報と対応する符号列を選択する。そして、前記端末は前記符号列を複素シンボルに変換して、前記複素シンボルをＢＦＣＨモードのフィードバックチャネルを介して送信する。以後、前記端末は前記１４０９ステップに戻る。
【００９０】
前記フィードバック情報の送信時点でなければ、前記端末は１４１３ステップに進行してＥＦＣＨへの転換を許諾するフィードバックチャネル割り当て情報が受信されたか確認する。前記フィードバックチャネル割り当て情報は、フィードバックチャネルの位置、フィードバック周期、フィードバックモードを示す情報などを含む。この際、前記フィードバックチャネル割り当て情報は、ＥＦＣＨモードのフィードバックチャネルを割り当てる情報を含む。
【００９１】
前記フィードバックチャネル割り当て情報が受信されると、前記端末は１４１５ステップに進行してフィードバック情報の送信時点であるか判断する。前記端末は基地局から割り当てられた高速フィードバックチャネルを介して周期的にフィードバック情報を送信するので、前記端末は以前フィードバック情報送信以後、一周期が経過したか確認する。この際、前記周期はフィードバックチャネルのモードによって決定される。現在、ＥＦＣＨモードへの転換に対する前記基地局の許可があったことから、前記フィードバックチャネルはＥＦＣＨモードである。
【００９２】
前記フィードバック情報の送信時点であれば、前記端末は１４１７ステップに進行してＥＦＣＨモードによってフィードバック情報を送信する。詳しく説明すると、前記端末はフィードバック情報を生成して、前記フィードバック情報を符号化及び変調することによってＥＦＣＨを介して送信される複素シンボルを生成する。そして、前記端末は前記複素シンボル及びパイロットシンボルをＥＦＣＨモードのフィードバックチャネルを介して送信する。
【００９３】
図１５は、本発明の実施の形態に係る広帯域無線通信システムにおけるＢＦＣＨモードからＥＦＣＨモードへの転換に対する制御を行う基地局の動作手順を示す図である。
【００９４】
前記図１５を参考すると、前記基地局は１５０１ステップでＢＦＣＨモードのフィードバック信号が受信されるか確認する。すなわち、現在該当端末のフィードバックチャネルのモードはＢＦＣＨモードであり、前記フィードバック信号は周期的に受信される。
【００９５】
前記ＢＦＣＨモードのフィードバック信号が受信されると、前記基地局は１５０３ステップに進行して候補符号列各々と受信された信号との相関値を用いて送信符号列を検出する。すなわち、前記基地局は非コーヒレント復調方式によって高速フィードバックチャネルを介して受信される信号から送信符号列を検出する。詳しく説明すると、前記基地局は前記候補符号列各々及び受信された信号との相関値を算出する。例えば、前記基地局は多数のタイル各々に対して相関値を算出した後、前記相関値ごとを自乗演算する。そして、前記基地局は各のタイルからの相関値のうち、同じ候補符号列から算出された自乗相関値を合算した後、最大の自乗相関値の合計に対応する候補符号列を検索する。
【００９６】
前記符号列を検出した後、前記基地局は１５０５ステップに進行して検出された符号列がモード転換要請符号列であるか確認する。前記モード転換要請符号列は、ＢＦＣＨモードから送信可能な多数の符号列のうちモード転換要請のため割り当てられた符号列を意味する。現在フィードバックチャネルがＢＦＣＨモードであるので、前記モード転換要請符号列はＢＦＣＨモードからＥＦＣＨモードへの転換を要請する符号列を意味する。例えば、前記モード転換要請符号列はＢＦＣＨモードからＥＦＣＨモードへの転換のために専用的に割り当てられたＥ１コード、及び、ＥＦＣＨモードを使用する選好ＭＩＭＯモードを示す符号列のうちの一つである。
【００９７】
万一、前記検出された符号列が前記モード転換要請符号列でなければ、前記基地局は１５０７ステップに進行して前記検出された符号列に対応するコードワードを確認して、前記コードワードが意味するフィードバック情報を処理する。例えば、前記フィードバック情報はＣＱＩ、イベントトリガー（ｅｖｅｎｔｔｒｉｇｇｅｒ）などになることもできる。
【００９８】
一方、前記検出された符号列が前記モード転換要請符号列であれば、前記基地局は１５０９ステップに進行してフィードバックチャネルのモード転換を受諾するか判断する。前記モード転換の受諾有無は未占有状態のフィードバックチャネル個数、該当モードの動作を支援できるか可否などにより決定される。万一、前記フィードバックチャネルのモード転換を受諾することができないと、前記基地局は前記１５０１ステップに戻る。
【００９９】
一方、前記フィードバックチャネルのモード転換を受諾することができると、前記基地局は１５１１ステップに進行してＥＦＣＨモードへの転換を許諾するフィードバックチャネル割り当て情報を送信する。前記フィードバックチャネル割り当て情報は、フィードバックチャネルの位置、フィードバック周期、フィードバックモードを示す情報などを含む。この際、前記フィードバックチャネル割り当て情報は、ＥＦＣＨモードのフィードバックチャネルを割り当てる情報を含む。
【０１００】
以後、前記基地局は１５１３ステップに進行してＥＦＣＨモードのフィードバック信号が受信されるか確認する。すなわち、現在該当端末のフィードバックチャネルのモードはＥＦＣＨモードであり、前記フィードバック信号は周期的に受信される。
【０１０１】
前記ＥＦＣＨモードのフィードバック信号が受信されると、前記基地局は１５１５ステップに進行してチャネル推定、復調及び復号化を介してフィードバックビット列を検出する。すなわち、前記基地局はコーヒレント復調方式によって高速フィードバックチャネルを介して受信される信号からフィードバックビット例を検出する。詳しく説明すると、前記基地局は前記高速フィードバックチャネルを介して受信された信号のうちパイロットシンボルを抽出した後、チャネルを推定する。続いて、前記基地局は推定されたチャネルを用いて情報シンボルのチャネル歪曲を補償して、前記情報シンボルを復調及び復号化する。
【０１０２】
前記フィードバックビット列を検出した後、前記基地局は１５１７ステップに進行して前記検出されたビット列が意味するフィードバック情報を処理する。たとえば、前記基地局は前記フィードバック情報を介してＣＱＩ，  選好サブバンド、プレコーディング行列インデックス、ランクなどを確認する。以後、前記基地局は前記１５１３ステップに戻る。
【０１０３】
図１６は、本発明の実施の形態に係る広帯域無線通信システムにおける一時的にＥＦＣＨモードからＢＦＣＨモードに転換する端末の動作手順を示している。
【０１０４】
前記図１６を参考すると、前記端末は１６０１ステップでフィードバック情報の送信時点であるか判断する。前記端末は基地局から割り当てられた高速フィードバックチャネルを介して周期的にフィードバック情報を送信するので、前記端末は以前フィードバック情報送信以後、一周期が経過したか確認する。この際、前記周期はフィードバックチャネルのモードによって決定される。現在、前記フィードバックチャネルはＥＦＣＨモードである。
【０１０５】
前記フィードバック情報の送信時点であれば、前記端末は１６０３ステップに進行してＥＦＣＨモードによってフィードバック情報を送信する。詳しく説明すると、前記端末はフィードバック情報を生成して、前記フィードバック情報を符号化及び変調することによってＥＦＣＨを介して送信される複素シンボルを生成する。そして、前記端末は前記複素シンボル及びパイロットシンボルをＥＦＣＨモードのフィードバックチャネルを介して送信する。以後、前記端末は前記１６０１ステップに戻る。
【０１０６】
前記フィードバック情報の送信時点でなければ、前記端末は１６０５ステップに進行してＢＦＣＨモードへの転換が必要であるか判断する。前記ＢＦＣＨモードへの転換は、フィードバック情報の種類の変化によって決定され、前記フィードバック情報の種類は、端末の動作モードによって決定される。例えば、ＭＩＭＯモードで動作中前記ＭＩＭＯモードを解除しようとする場合、前記端末は前記ＢＦＣＨモードへの転換を決定する。万一、前記ＢＦＣＨモードへの転換が必要でなければ、前記端末は前記１６０１ステップに戻る。
【０１０７】
一方、前記ＢＦＣＨモードへの転換が必要とすると、前記端末は１６０７ステップに進行してモード転換要請を含むＥＦＣＨモードによるフィードバック情報を送信する。すなわち、前記端末は送信周期によってフィードバック情報を送信するものの、前記フィードバック情報に前記モード転換要請を含める。例えば、前記モード転換要請は、前記図４のモード転換表示ビット４２０のような一つのビットの指示子でありうる。すなわち、前記モード転換要請を示す指示子は、ＥＦＣＨモードによって送信されるフィードバック情報に含まれており、モード変更を要請する場合アクティブになった値に、モード変更を要請しない場合非アクティブになった値に設定される。ただ、前記ＥＦＣＨモードによって送信されるフィードバック情報は、多様な形式を有することができ、この場合、すべての形式のフィードバック情報が前記指示子を含めるか、または一部形式のフィードバック情報のみが前記指示子を含めることもできる。
【０１０８】
以後、前記端末は１６０９ステップに進行してフィードバック情報の送信時点であるか判断する。前記端末は基地局から割り当てられた高速フィードバックチャネルを介して周期的にフィードバック情報を送信するので、前記端末は以前フィードバック情報送信以後、一周期が経過したか確認する。この際、前記周期はフィードバックチャネルのモードによって決定される。現在、前記モード転換要請を含むＥＦＣＨモードによるフィードバック情報を送信したので、前記端末のフィードバックチャネルは一時的なＢＦＣＨモードである。
【０１０９】
前記フィードバック情報の送信時点であれば、前記端末は１６１１ステップに進行してＢＦＣＨモードによってフィードバック情報を送信する。詳しく説明すると、前記端末はフィードバック情報を生成して、前記フィードバック情報と対応する符号列を選択する。そして、前記端末は前記符号列を複素シンボルに変換して、前記複素シンボルをＢＦＣＨモードのフィードバックチャネルを介して送信する以後、前記端末は前記１６０９ステップに戻る。
【０１１０】
前記フィードバック情報の送信時点でなければ、前記端末は１６１３ステップに進行して臨時モード転換時間が経過したか判断する。すなわち、前記モード転換要請を含むフィードバック情報を送信した後、前記臨時モード転換時間の進行が進み、前記端末は前記臨時モード転換時間が経過したか確認する。万一、前記臨時モード転換時間が経過しなかったら、前記端末は前記１６０９ステップに戻る。一方、前記臨時モード転換時間が経過したら、前記端末は前記１６０１ステップに戻る。
【０１１１】
図１７は、本発明の実施の形態に係る広帯域無線通信システムにおける一時的にＥＦＣＨモードからＢＦＣＨモードに転換する端末に対応する基地局の動作手順を示している。
【０１１２】
前記図１７を参考すると、前記基地局は１７０１ステップでＥＦＣＨモードのフィードバック信号が受信されるか確認する。すなわち、現在該当端末のフィードバックチャネルのモードはＥＦＣＨモードであり、前記フィードバック信号は周期的に受信される。
【０１１３】
前記ＥＦＣＨモードのフィードバック信号が受信されると、前記基地局は１７０３ステップに進行してチャネル推定、復調及び復号化を介してフィードバックビット列を検出する。すなわち、前記基地局はコーヒレント復調方式によって高速フィードバックチャネルを介して受信される信号からフィードバックビット例を検出する。詳しく説明すると、前記基地局は前記高速フィードバックチャネルを介して受信された信号のうちパイロットシンボルを抽出した後、チャネルを推定する。続いて、前記基地局は推定されたチャネルを用いて情報シンボルのチャネル歪曲を補償して、前記情報シンボルを復調及び復号化する。
【０１１４】
前記フィードバックビット列を検出した後、前記基地局は１７０５ステップに進行して前記フィードバックビット列にモード転換要請が含まれているか確認する。前記モード転換要請は、ＥＦＣＨモードからＢＦＣＨモードへの転換を要請したことを知らせる情報である。例えば、前記モード転換要請は、前記図４のモード転換表示ビット４２０のような一つのビットの指示子でありうる。すなわち、前記モード転換要請を示す指示子は、ＥＦＣＨモードによって送信されるフィードバック情報に含まれており、モード変更を要請する場合アクティブになった値に、モード変更を要請しない場合非アクティブになった値に設定される。ただ、前記ＥＦＣＨモードによって送信されるフィードバック情報は、多様な形式を有することができ、この場合、すべての形式のフィードバック情報が前記指示子を含めるか、または一部形式のフィードバック情報のみが前記指示子を含めることもできる。
【０１１５】
万一、前記モード転換要請が含まれていないと、前記基地局は１７０７ステップに進行して前記検出されたビット列が意味するフィードバック情報を処理する。たとえば、前記基地局は前記フィードバック情報を介してＣＱＩ，  選好サブバンド、プレコーディング行列インデックス、ランクなどを確認する以後、前記基地局は前記１７０１ステップに戻る。
【０１１６】
一方、前記モード転換要請が含まれていると、前記基地局は１７０９ステップに進行してＢＦＣＨモードのフィードバック信号が受信されるか確認する。すなわち、現在、前記モード転換要請により該当端末のフィードバックチャネルのモードは一時的なＢＦＣＨモードであり、前記フィードバック信号は周期的に受信される。
【０１１７】
前記ＢＦＣＨモードのフィードバック信号が受信されると、前記基地局は１７１１ステップに進行して候補符号列各々と受信された信号との相関値を用いて送信符号列を検出する。すなわち、前記基地局は非コーヒレント復調方式によって高速フィードバックチャネルを介して受信される信号から送信符号列を検出する。詳しく説明すると、前記基地局は前記候補符号列各々及び受信された信号との相関値を算出する。例えば、前記基地局は多数のタイル各々に対して相関値を算出した後、前記相関値ごとを自乗演算する。そして、前記基地局は各のタイルからの相関値のうち、同じ候補符号列から算出された自乗相関値を合算した後、最大の自乗相関値の合計に対応する候補符号列を検索する。
【０１１８】
続いて、前記基地局は１７１３ステップに進行して前記検出された符号列に対応するコードワードを確認して、前記コードワードが意味するフィードバック情報を処理する。例えば、前記フィードバック情報はＣＱＩ、イベントトリガー（ｅｖｅｎｔｔｒｉｇｇｅｒ）などになることもできる。
【０１１９】
前記１７０９ステップにて、前記ＢＦＣＨモードのフィードバック信号が受信されなければ、前記基地局は１７１５ステップに進行して臨時モード転換時間が経過したか判断する。すなわち、前記モード転換要請を含むフィードバック情報を受信した後、前記臨時モード転換時間の進行が進み、前記基地局は前記臨時モード転換時間が経過したか確認する。万一、前記臨時モード転換時間が経過しなかったら、前記基地局は前記１７０９ステップに戻る。一方、前記臨時モード転換時間が経過したら、前記基地局は前記１７０１ステップに戻る。
【０１２０】
図１８Ａと図１８Ｂは、本発明の実施の形態に係る広帯域無線通信システムにおける一時的にＢＦＣＨモードに転換し、一時的ＢＦＣＨモードを介してＢＦＣＨモード転換を要請する端末の動作手順を示している。
【０１２１】
前記図１８Ａと図１８Ｂを参考すると、前記端末は１８０１ステップでフィードバック情報の送信時点であるか判断する。前記端末は基地局から割り当てられた高速フィードバックチャネルを介して周期的にフィードバック情報を送信するので、前記端末は以前フィードバック情報送信以後、一周期が経過したか確認する。この際、前記周期はフィードバックチャネルのモードによって決定される。現在、前記フィードバックチャネルはＥＦＣＨモードである。
【０１２２】
前記フィードバック情報の送信時点であれば、前記端末は１８０３ステップに進行してＥＦＣＨモードによってフィードバック情報を送信する。詳しく説明すると、前記端末はフィードバック情報を生成して、前記フィードバック情報を符号化及び変調することによってＥＦＣＨを介して送信される複素シンボルを生成する。そして、前記端末は前記複素シンボル及びパイロットシンボルをＥＦＣＨモードのフィードバックチャネルを介して送信する。以後、前記端末は前記１８０１ステップに戻る。
【０１２３】
前記フィードバック情報の送信時点でなければ、前記端末は１８０５ステップに進行してＢＦＣＨモードへの転換が必要であるか判断する。前記ＢＦＣＨモードへの転換は、フィードバック情報の種類の変化によって決定され、前記フィードバック情報の種類は、端末の動作モードによって決定される。例えば、ＭＩＭＯモードで動作中前記ＭＩＭＯモードを解除しようとする場合、前記端末は前記ＢＦＣＨモードへの転換を決定する。万一、前記ＢＦＣＨモードへの転換が必要でなければ、前記端末は前記１８０１ステップに戻る。
【０１２４】
一方、前記ＢＦＣＨモードへの転換が必要とすると、前記端末は１８０７ステップに進行してモード転換要請を含むＥＦＣＨモードによるフィードバック情報を送信する。すなわち、前記端末は送信周期によってフィードバック情報を送信するものの、前記フィードバック情報に前記モード転換要請を含める。例えば、前記モード転換要請は、前記図４のモード転換表示ビット４２０のような一つのビットの指示子でありうる。すなわち、前記モード転換要請を示す指示子は、ＥＦＣＨモードによって送信されるフィードバック情報に含まれており、モード変更を要請する場合アクティブになった値に、モード変更を要請しない場合非アクティブになった値に設定される。ただ、前記ＥＦＣＨモードによって送信されるフィードバック情報は、多様な形式を有することができ、この場合、すべての形式のフィードバック情報が前記指示子を含めるか、または一部形式のフィードバック情報のみが前記指示子を含めることもできる。
【０１２５】
以後、前記端末は１８０９ステップに進行してフィードバック情報の送信時点であるか判断する。前記端末は基地局から割り当てられた高速フィードバックチャネルを介して周期的にフィードバック情報を送信するので、前記端末は以前フィードバック情報送信以後、一周期が経過したか確認する。この際、前記周期はフィードバックチャネルのモードによって決定される現在、前記モード転換要請を含むＥＦＣＨモードによるフィードバック情報を送信したので、前記端末のフィードバックチャネルは一時的なＢＦＣＨモードである。
【０１２６】
前記フィードバック情報の送信時点であれば、前記端末は１８１１ステップに進行してＢＦＣＨモードのモード転換要請製符号列を送信する。言い換えると、前記端末はＢＦＣＨモードから送信可能な多数の符号列のうちモード転換要請のため割り当てられた符号列を選択して、前記符号列を複素シンボルに変換して、前記複素シンボルをＢＦＣＨモードのフィードバックチャネルを介して送信する。例えば、前記モード転換要請符号列は、ＢＦＣＨモードからＥＦＣＨモードへの転換のために専用的に割り当てられたＥ１コード、及び、ＥＦＣＨモードを用いる選好ＭＩＭＯモードを示す符号列の中の一つである。
【０１２７】
以後、前記端末は１８０９ステップに進行してフィードバック情報の送信時点であるか判断する。前記端末は基地局から割り当てられた高速フィードバックチャネルを介して周期的にフィードバック情報を送信するので、前記端末は以前フィードバック情報送信以後、一周期が経過したか確認する。この際、前記周期はフィードバックチャネルのモードによって決定される。現在、前記モード転換要請を含むＥＦＣＨモードによるフィードバック情報を送信したので、前記端末のフィードバックチャネルは一時的なＢＦＣＨモードである。
【０１２８】
前記フィードバック情報の送信時点でなければ、前記端末は１８１５ステップに進行して基地局からＢＦＣＨモードへの転換を許諾するフィードバックチャネル割り当て情報が受信されたか確認する。前記フィードバックチャネル割り当て情報は、フィードバックチャネルの位置、フィードバック周期、フィードバックモードを示す情報などを含む。この際、前記フィードバックチャネル割り当て情報は、ＢＦＣＨモードのフィードバックチャネルを割り当てる情報を含む。
【０１２９】
前記フィードバックチャネル割り当て情報が受信されなければ、前記端末は１８１７ステップに進行して臨時モード転換時間が経過したか判断する。すなわち、前記モード転換要請を含むフィードバック情報を送信した後、前記臨時モード転換時間の進行が進み、前記端末は前記臨時モード転換時間が経過したか確認する。万一、前記臨時モード転換時間が経過しなかったら、前記端末は前記１８１３ステップに戻る。
【０１３０】
すなわち、前記端末は前記１８１３ステップから前記１８１７ステップを反復し、フィードバック情報送信時点が到来するか、前記フィードバックチャネル割り当て情報が受信されるか、または、前記臨時モード転換時間が経過するかを確認する。万一、前記１８１３ステップにて、前記フィードバックチャネル割り当て情報の受信及び前記臨時モード転換時間の経過前に前記フィードバック情報送信時点が到来すると、前記端末は１８１９ステップに進行してＢＦＣＨモードによってフィードバック情報を送信する。詳しく説明すると、前記端末はフィードバック情報を生成して、前記フィードバック情報と対応する符号列を選択するそして、前記端末は前記符号列を複素シンボルに変換して、前記複素シンボルをＢＦＣＨモードのフィードバックチャネルを介して送信する。以後、前記端末は前記１８１３ステップに戻る。
【０１３１】
一方、前記臨時モード転換時間経過前に前記ＢＦＣＨモードへの転換を許諾するフィードバックチャネル割り当て情報が受信されると、前記端末は１８２１ステップに進行してフィードバック情報の送信時点であるか判断する。前記端末は基地局から割り当てられた高速フィードバックチャネルを介して周期的にフィードバック情報を送信するので、前記端末は以前フィードバック情報送信以後、一周期が経過したか確認する。この際、前記周期はフィードバックチャネルのモードによって決定される。現在、前記ＢＦＣＨモードへの転換を許諾するフィードバックチャネル割り当て情報が受信されたので、前記端末のフィードバックチャネルはＢＦＣＨモードである。
【０１３２】
前記フィードバック情報送信時点が到来すれば、前記端末は１８１９ステップに進行してＢＦＣＨモードによってフィードバック情報を送信する。詳しく説明すると、前記端末はフィードバック情報を生成して、前記フィードバック情報と対応する符号列を選択する。そして、前記端末は前記符号列を複素シンボルに変換して、前記複素シンボルをＢＦＣＨモードのフィードバックチャネルを介して送信する。以後、前記端末は前記１８２１ステップに戻る。
【０１３３】
また、前記１８１７ステップにて、前記フィードバックチャネル割り当て情報受信前に前記臨時モード転換時間が経過すれば、前記端末は１８２５ステップに進行してフィードバック情報送信時点であるか確認する。前記端末は基地局から割り当てられた高速フィードバックチャネルを介して周期的にフィードバック情報を送信するので、前記端末は以前フィードバック情報送信以後、一周期が経過したか確認する。この際、前記周期はフィードバックチャネルのモードによって決定される。現在、前記臨時モード転換時間が経過したので、前記端末のフィードバックチャネルはＥＦＣＨモードである。
【０１３４】
万一、前記フィードバック情報の送信時点であれば、前記端末は１８２７ステップに進行してＥＦＣＨモードによってフィードバック情報を送信する。詳しく説明すると、前記端末はフィードバック情報を生成して、前記フィードバック情報を符号化及び変調することによってＥＦＣＨを介して送信される複素シンボルを生成する。そして、前記端末は前記複素シンボル及びパイロットシンボルをＥＦＣＨモードのフィードバックチャネルを介して送信する。
【０１３５】
前記ＥＦＣＨモードによってフィードバック情報を送信した後、または、前記フィードバック情報送信時点でなければ、前記端末は１８２９ステップに進行して前記基地局からＢＦＣＨモードへの転換を許諾するフィードバックチャネル割り当て情報が受信されるか確認する。前記フィードバックチャネル割り当て情報は、フィードバックチャネルの位置、フィードバック周期、フィードバックモードを示す情報などを含む。この際、前記フィードバックチャネル割り当て情報は、ＢＦＣＨモードのフィードバックチャネルを割り当てる情報を含む。前記フィードバックチャネル割り当て情報が受信されると、前記端末は前記１８２１ステップに進行してＢＦＣＨモードでフィードバックチャネルを使用する。一方、前記フィードバックチャネル割り当て情報が受信されなければ、前記端末は前記１８２５ステップに戻る。
【０１３６】
図１９は、本発明の実施の形態に係る広帯域無線通信システムにおける一時的にＢＦＣＨモードに転換し、一時的ＢＦＣＨモードを介してＢＦＣＨモード転換を要請する端末に対応する基地局の動作手順を示している。
【０１３７】
前記図１９を参考すると、前記基地局は１９０１ステップでＥＦＣＨモードのフィードバック信号が受信されるか確認する。すなわち、現在該当端末のフィードバックチャネルのモードはＥＦＣＨモードであり、前記フィードバック信号は周期的に受信される。
【０１３８】
前記ＥＦＣＨモードのフィードバック信号が受信されると、前記基地局は１９０３ステップに進行してチャネル推定、復調及び復号化を介してフィードバックビット列を検出する。すなわち、前記基地局はコーヒレント復調方式によって高速フィードバックチャネルを介して受信される信号からフィードバックビット例を検出する。詳しく説明すると、前記基地局は前記高速フィードバックチャネルを介して受信された信号のうちパイロットシンボルを抽出した後、チャネルを推定する。続いて、前記基地局は推定されたチャネルを用いて情報シンボルのチャネル歪曲を補償して、前記情報シンボルを復調及び復号化する。
【０１３９】
前記フィードバックビット列を検出した後、前記基地局は１９０５ステップに進行して前記フィードバックビット列にモード転換要請が含まれているか確認する。前記モード転換要請は、ＥＦＣＨモードからＢＦＣＨモードへの転換を要請したことを知らせる情報である。例えば、前記モード転換要請は、前記図４のモード転換表示ビット４２０のような一つのビットの指示子でありうる。すなわち、前記モード転換要請を示す指示子は、ＥＦＣＨモードによって送信されるフィードバック情報に含まれており、モード変更を要請する場合アクティブになった値に、モード変更を要請しない場合非アクティブになった値に設定される。ただ、前記ＥＦＣＨモードによって送信されるフィードバック情報は、多様な形式を有することができ、この場合、すべての形式のフィードバック情報が前記指示子を含めるか、または一部形式のフィードバック情報のみが前記指示子を含めることもできる。
【０１４０】
万一、前記モード転換要請が含まれていないと、前記基地局は１９０７ステップに進行して前記検出されたビット列が意味するフィードバック情報を処理する。たとえば、前記基地局は前記フィードバック情報を介してＣＱＩ、選好サブバンド、プレコーディング行列インデックス、ランクなどを確認する。以後、前記基地局は前記１９０１ステップに戻る。
【０１４１】
一方、前記モード転換要請が含まれていると、前記基地局は１９０９ステップに進行してＢＦＣＨモードのフィードバック信号が受信されるか確認する。すなわち、現在、前記モード転換要請により該当端末のフィードバックチャネルのモードは一時的なＢＦＣＨモードであり、前記フィードバック信号は周期的に受信される。
【０１４２】
前記ＢＦＣＨモードのフィードバック信号が受信されなければ、前記基地局は１９１１ステップに進行して臨時モード転換時間が経過したか判断する。すなわち、前記モード転換要請を含むフィードバック情報を受信した後、前記臨時モード転換時間の進行が進み、前記基地局は前記臨時モード転換時間が経過したか確認する。万一、前記臨時モード転換時間が経過しなかったら、前記基地局は前記１９０９ステップに戻る。一方、前記臨時モード転換時間が経過したら、前記基地局は前記１９０１ステップに戻る。
【０１４３】
前記１９０９ステップにて、前記ＢＦＣＨモードのフィードバック信号が受信されると、前記基地局は１９１３ステップに進行して候補符号列各々と受信された信号との相関値を用いて送信符号列を検出する。すなわち、前記基地局は非コーヒレント復調方式によって高速フィードバックチャネルを介して受信される信号から送信符号列を検出する。詳しく説明すると、前記基地局は前記候補符号列各々及び受信された信号との相関値を算出する。例えば、前記基地局は多数のタイル各々に対して相関値を算出した後、前記相関値ごとを自乗演算する。そして、前記基地局は各のタイルからの相関値のうち、同じ候補符号列から算出された自乗相関値を合算した後、最大の自乗相関値の合計に対応する候補符号列を検索する。
【０１４４】
続いて、前記基地局は１９１５ステップに進行して検出された符号列がモード転換要請符号列であるか確認する。前記モード転換要請符号列は、ＢＦＣＨモードから送信可能な多数の符号列のうちモード転換要請のため割り当てられた符号列を意味する。前記モード転換要請符号列は、ＥＦＣＨモードからＢＦＣＨモードへの転換を要請する符号列を意味する。例えば、前記モード転換要請符号列は、ＥＦＣＨモードからＢＦＣＨモードへの転換のために専用的に割り当てられたＥ２コード、及び、ＢＦＣＨモードを用いる選好ＭＩＭＯモードを示す符号列の中の一つである。
【０１４５】
万一、前記検出された符号列が前記モード転換要請符号列でなければ、前記基地局は１９１７ステップに進行して前記検出された符号列に対応するコードワードを確認して、前記コードワードが意味するフィードバック情報を処理する。例えば、前記フィードバック情報はＣＱＩ、イベントトリガー（ｅｖｅｎｔｔｒｉｇｇｅｒ）などになることもできる。
【０１４６】
一方、前記検出された符号列が前記モード転換要請符号列であれば、前記基地局は１９１９ステップに進行してフィードバックチャネルのモード転換を受諾するか判断する。前記モード転換の受諾有無は未占有状態のフィードバックチャネル個数、該当モードの動作を支援できるか可否などにより決定される。万一、前記フィードバックチャネルのモード転換を受諾することができないと、前記基地局は前記１９０９ステップに戻る。
【０１４７】
前記フィードバックチャネルのモード転換を受諾することができると、前記基地局は１９２１ステップに進行してＢＦＣＨモードへの転換を許諾するフィードバックチャネル割り当て情報を送信する。前記フィードバックチャネル割り当て情報は、フィードバックチャネルの位置、フィードバック周期、フィードバックモードを示す情報などを含む。この際、前記フィードバックチャネル割り当て情報は、ＢＦＣＨモードのフィードバックチャネルを割り当てる情報を含む。
【０１４８】
以後、前記基地局は１９２３ステップに進行してＢＦＣＨモードのフィードバック信号が受信されるか確認する。すなわち、現在、前記モード転換要請受諾により該当端末のフィードバックチャネルのモードはＢＦＣＨモードであり、前記フィードバック信号は周期的に受信される。
【０１４９】
前記ＢＦＣＨモードのフィードバック信号が受信されると、前記基地局は１９２５ステップに進行して候補符号列各々と受信された信号との相関値を用いて送信符号列を検出する。すなわち、前記基地局は非コーヒレント復調方式によって高速フィードバックチャネルを介して受信される信号から送信符号列を検出する。詳しく説明すると、前記基地局は前記候補符号列各々及び受信された信号との相関値を算出する。例えば、前記基地局は多数のタイル各々に対して相関値を算出した後、前記相関値ごとを自乗演算する。そして、前記基地局は各のタイルからの相関値のうち、同じ候補符号列から算出された自乗相関値を合算した後、最大の自乗相関値の合計に対応する候補符号列を検索する。
【０１５０】
前記符号列を検出した後、前記基地局は１９２７ステップに進行して前記検出された符号列に対応するコードワードを確認して、前記コードワードが意味するフィードバック情報を処理する。例えば、前記フィードバック情報はＣＱＩ、イベントトリガー（ｅｖｅｎｔｔｒｉｇｇｅｒ）などになることもできる。以後、前記基地局は前記１９２３ステップに戻る。
【０１５１】
図２０は、本発明の実施の形態に係る広帯域無線通信システムにおける周期的にＢＦＣＨモードに転換するとともに一時的ＢＦＣＨモード転換を要請する端末の動作手順を示している。
【０１５２】
前記図２０を参考すると、前記端末は２００１ステップでフィードバック情報の送信時点であるか判断する。前記端末は基地局から割り当てられた高速フィードバックチャネルを介して周期的にフィードバック情報を送信するので、前記端末は以前フィードバック情報送信以後、一周期が経過したか確認する。この際、前記周期はフィードバックチャネルのモードによって決定される。現在、前記フィードバックチャネルはＥＦＣＨモードである。
【０１５３】
前記フィードバック情報の送信時点であれば、前記端末は２００３ステップに進行してＥＦＣＨモードによってフィードバック情報を送信する。詳しく説明すると、前記端末はフィードバック情報を生成して、前記フィードバック情報を符号化及び変調することによってＥＦＣＨを介して送信される複素シンボルを生成する。そして、前記端末は前記複素シンボル及びパイロットシンボルをＥＦＣＨモードのフィードバックチャネルを介して送信する。以後、前記端末は前記２００１ステップに戻る。
【０１５４】
前記フィードバック情報の送信時点でなければ、前記端末は２００５ステップに進行してＢＦＣＨモード転換周期が到来したか判断する。すなわち、前記端末は一定周期によって前記ＢＦＣＨモードに転換する前記ＢＦＣＨモード転換周期は、フレーム個数またはフィードバック回数に定義される。
【０１５５】
前記ＢＦＣＨモード転換周期が到来すれば、前記端末は２００７ステップに進行してＢＦＣＨモードによってフィードバック情報を送信する。詳しく説明すると、前記端末はフィードバック情報を生成して、前記フィードバック情報と対応する符号列を選択する。そして、前記端末は前記符号列を複素シンボルに変換して、前記複素シンボルをＢＦＣＨモードのフィードバックチャネルを介して送信する。以後、前記端末は前記２００１ステップに戻る。
【０１５６】
前記ＢＦＣＨモード転換周期が到来しなければ、前記端末は２００９ステップに進行してＢＦＣＨモードへの転換が必要であるか判断する。前記ＢＦＣＨモードへの転換は、フィードバック情報の種類の変化によって決定され、前記フィードバック情報の種類は、端末の動作モードによって決定される。例えば、ＭＩＭＯモードで動作中前記ＭＩＭＯモードを解除しようとする場合、前記端末は前記ＢＦＣＨモードへの転換を決定する。万一、前記ＢＦＣＨモードへの転換が必要でなければ、前記端末は前記２００１ステップに戻る。
【０１５７】
一方、前記ＢＦＣＨモードへの転換が必要とすると、前記端末は２０１１ステップに進行してモード転換要請を含むＥＦＣＨモードによるフィードバック情報を送信する。すなわち、前記端末は送信周期によってフィードバック情報を送信するものの、前記フィードバック情報に前記モード転換要請を含める。例えば、前記モード転換要請は、前記図４のモード転換表示ビット４２０のような一つのビットの指示子でありうる。すなわち、前記モード転換要請を示す指示子は、ＥＦＣＨモードによって送信されるフィードバック情報に含まれており、モード変更を要請する場合アクティブになった値に、モード変更を要請しない場合非アクティブになった値に設定される。ただ、前記ＥＦＣＨモードによって送信されるフィードバック情報は、多様な形式を有することができ、この場合、すべての形式のフィードバック情報が前記指示子を含めるか、または一部形式のフィードバック情報のみが前記指示子を含めることもできる。
【０１５８】
以後、前記端末は２０１３ステップに進行してフィードバック情報の送信時点であるか判断する。前記端末は基地局から割り当てられた高速フィードバックチャネルを介して周期的にフィードバック情報を送信するので、前記端末は以前フィードバック情報送信以後、一周期が経過したか確認する。この際、前記周期はフィードバックチャネルのモードによって決定される。現在、前記モード転換要請を含むＥＦＣＨモードによるフィードバック情報を送信したので、前記端末のフィードバックチャネルは一時的なＢＦＣＨモードである。
【０１５９】
前記フィードバック情報の送信時点であれば、前記端末は２０１５ステップに進行してＢＦＣＨモードによってフィードバック情報を送信する。詳しく説明すると、前記端末はフィードバック情報を生成して、前記フィードバック情報と対応する符号列を選択する。そして、前記端末は前記符号列を複素シンボルに変換して、前記複素シンボルをＢＦＣＨモードのフィードバックチャネルを介して送信する。以後、前記端末は前記２０１３ステップに戻る。
【０１６０】
前記フィードバック情報の送信時点でなければ、前記端末は２０１７ステップに進行して臨時モード転換時間が経過したか判断する。すなわち、前記モード転換要請を含むフィードバック情報を送信した後、前記臨時モード転換時間の進行が進み、前記端末は前記臨時モード転換時間が経過したか確認する。万一、前記臨時モード転換時間が経過しなかったら、前記端末は前記２０１７ステップに戻る。一方、前記臨時モード転換時間が経過したら、前記端末は前記２００１ステップに戻る。
【０１６１】
図２１は、本発明の実施の形態に係る広帯域無線通信システムにおける周期的にＢＦＣＨモードに転換するとともに一時的ＢＦＣＨモード転換を要請する端末に対応する基地局の動作手順を示している。
【０１６２】
前記図２１を参考すると、前記基地局は２１０１ステップでＢＦＣＨモードの転換周期が到来したか判断する。すなわち、該当端末のフィードバックチャネルのモードは、一定周期によって前記ＢＦＣＨモードに転換する。前記ＢＦＣＨモード転換周期は、フレーム個数またはフィードバック回数に定義される。
【０１６３】
前記ＢＦＣＨモード転換周期が到来すれば、前記基地局は２１０３ステップに進行してＢＦＣＨモードのフィードバック信号が受信されるか確認する。すなわち、現在該当端末のフィードバックチャネルのモードは、周期的ＢＦＣＨモードである。
【０１６４】
前記ＢＦＣＨモードのフィードバック信号が受信されると、前記基地局は２１０５ステップに進行して候補符号列各々と受信された信号との相関値を用いて送信符号列を検出する。すなわち、前記基地局は非コーヒレント復調方式によって高速フィードバックチャネルを介して受信される信号から送信符号列を検出する。詳しく説明すると、前記基地局は前記候補符号列各々及び受信された信号との相関値を算出する例えば、前記基地局は多数のタイル各々に対して相関値を算出した後、前記相関値ごとを自乗演算する。そして、前記基地局は各のタイルからの相関値のうち、同じ候補符号列から算出された自乗相関値を合算した後、最大の自乗相関値の合計に対応する候補符号列を検索する。
【０１６５】
続いて、前記基地局は２１０７ステップに進行して前記検出された符号列に対応するコードワードを確認して、前記コードワードが意味するフィードバック情報を処理する。例えば、前記フィードバック情報はＣＱＩ、イベントトリガー（ｅｖｅｎｔｔｒｉｇｇｅｒ）などになることもできる。以後、前記基地局は前記２１０１ステップに戻る。
【０１６６】
前記２１０１ステップにて、前記ＢＦＣＨモード転換周期が到来しなければ、前記基地局は２１０９ステップでＥＦＣＨモードのフィードバック信号が受信されるか確認する。すなわち、現在該当端末のフィードバックチャネルのモードはＥＦＣＨモードであり、前記フィードバック信号は周期的に受信される。
【０１６７】
前記ＥＦＣＨモードのフィードバック信号が受信されると、前記基地局は２１１１ステップに進行してチャネル推定、復調及び復号化を介してフィードバックビット列を検出する。すなわち、前記基地局はコーヒレント復調方式によって高速フィードバックチャネルを介して受信される信号からフィードバックビット例を検出する。詳しく説明すると、前記基地局は前記高速フィードバックチャネルを介して受信された信号のうちパイロットシンボルを抽出した後、チャネルを推定する。続いて、前記基地局は推定されたチャネルを用いて情報シンボルのチャネル歪曲を補償して、前記情報シンボルを復調及び復号化する。
【０１６８】
前記フィードバックビット列を検出した後、前記基地局は２１１３ステップに進行して前記フィードバックビット列にモード転換要請が含まれているか確認する。前記モード転換要請は、ＥＦＣＨモードからＢＦＣＨモードへの転換を要請したことを知らせる情報である。例えば、前記モード転換要請は、前記図４のモード転換表示ビット４２０のような一つのビットの指示子でありうる。すなわち、前記モード転換要請を示す指示子は、ＥＦＣＨモードによって送信されるフィードバック情報に含まれており、モード変更を要請する場合アクティブになった値に、モード変更を要請しない場合非アクティブになった値に設定される。ただ、前記ＥＦＣＨモードによって送信されるフィードバック情報は、多様な形式を有することができ、この場合、すべての形式のフィードバック情報が前記指示子を含めるか、または一部形式のフィードバック情報のみが前記指示子を含めることもできる。
【０１６９】
万一、前記モード転換要請が含まれていないと、前記基地局は２１１５ステップに進行して前記検出されたビット列が意味するフィードバック情報を処理する。たとえば、前記基地局は前記フィードバック情報を介してＣＱＩ、選好サブバンド、プレコーディング行列インデックス、ランクなどを確認する。以後、前記基地局は前記２１０１ステップに戻る。
【０１７０】
一方、前記モード転換要請が含まれていると、前記基地局は２１１７ステップに進行してＢＦＣＨモードのフィードバック信号が受信されるか確認する。すなわち、現在、前記モード転換要請により該当端末のフィードバックチャネルのモードは一時的なＢＦＣＨモードであり、前記フィードバック信号は周期的に受信される。
【０１７１】
前記ＢＦＣＨモードのフィードバック信号が受信されると、前記基地局は２１１９ステップに進行して候補符号列各々と受信された信号との相関値を用いて送信符号列を検出する。すなわち、前記基地局は非コーヒレント復調方式によって高速フィードバックチャネルを介して受信される信号から送信符号列を検出する。詳しく説明すると、前記基地局は前記候補符号列各々及び受信された信号との相関値を算出する。例えば、前記基地局は多数のタイル各々に対して相関値を算出した後、前記相関値ごとを自乗演算する。そして、前記基地局は各のタイルからの相関値のうち、同じ候補符号列から算出された自乗相関値を合算した後、最大の自乗相関値の合計に対応する候補符号列を検索する。
【０１７２】
続いて、前記基地局は２１２１ステップに進行して前記検出された符号列に対応するコードワードを確認して、前記コードワードが意味するフィードバック情報を処理する。例えば、前記フィードバック情報はＣＱＩ、イベントトリガー（ｅｖｅｎｔｔｒｉｇｇｅｒ）などになることもできる。
【０１７３】
前記２１１７ステップにて、前記ＢＦＣＨモードのフィードバック信号が受信されなければ、前記基地局は２１２３ステップに進行して臨時モード転換時間が経過したか判断する。すなわち、前記モード転換要請を含むフィードバック情報を受信した後、前記臨時モード転換時間の進行が進み、前記基地局は前記臨時モード転換時間が経過したか確認する。万一、前記臨時モード転換時間が経過しなかったら、前記基地局は前記２１１７ステップに戻る。一方、前記臨時モード転換時間が経過したら、前記基地局は前記２１０１ステップに戻る。
【０１７４】
前記図２２に示すように、前記端末はＲＦ（Ｒａｄｉｏ  Ｆｒｅｑｕｅｎｃｙ）受信器２２０２、ＯＦＤＭ復調器２２０４、副搬送波デマッパー２２０６、ＣＱＩ測定器２２０８、フィードバックモード決定器２２１０、フィードバック情報生成器２２１２、ＢＦＣＨ構成器２２１４、ＥＦＣＨ構成器２２１６、副搬送波マッパー２２１８、ＯＦＤＭ変調器２２２０、ＲＦ送信器２２２２を含んで構成される。
【０１７５】
前記ＲＦ受信器２２０２は、アンテナを介して受信されたＲＦ帯域の信号をベースバンド信号に変換する。前記ＯＦＤＭ復調器２２０４は、前記ＲＦ受信器２２０２から提供される信号をＯＦＤＭシンボル単位に仕分けした後、ＣＰを除去して、ＦＦＴ（Ｆａｓｔ  Ｆｏｕｒｉｅｒ  Ｔｒａｎｓｆｏｒｍ）演算を介して周波数領域にマッピングされた複素シンボルを復元する。前記副搬送波デマッパー２２０６は、前記周波数領域にマッピングされた複素シンボルのうちパイロット信号及びプリアンブル信号のようにチャネル品質測定に用いられる信号を取り出す。前記ＣＱＩ測定器２２０８は、前記パイロット信号及び前記プリアンブル信号のようにチャネル品質測定に用いられる信号を用いてダウンリンクチャネルの品質を測定する。
【０１７６】
前記フィードバックモード決定器２２１０は、前記ＣＱＩ測定器２２０８により測定されたチャネル品質によって高速フィードバックチャネルのモードを決定する。すなわち、チャネル品質が臨界値未満である場合、前記フィードバックモード決定器２２１０は、高速フィードバックチャネルのモードをＢＦＣＨモードに決定する。一方、チャネル品質が臨界値以上である場合、前記フィードバックモード決定器２２１０は、高速フィードバックチャネルのモードをＥＦＣＨモードに決定する。前記高速フィードバックチャネルのモードがＢＦＣＨモードに決定された場合、前記フィードバックモード決定器２２１０は、前記ＢＦＣＨモードに対応する項目を含むフィードバック情報を生成するよう前記フィードバック情報生成器２２１２を制御して、前記フィードバック情報生成器２２１２から提供されるフィードバック情報を前記ＢＦＣＨ構成器２２１４へ提供する。一方、前記高速フィードバックチャネルのモードがＥＦＣＨモードに決定された場合、前記フィードバックモード決定器２２１０は、前記ＥＦＣＨモードに対応する項目を含むフィードバック情報を生成するよう前記フィードバック情報生成器２２１２を制御して、前記フィードバック情報生成器２２１２から提供されるフィードバック情報を前記ＥＦＣＨ構成器２２１６へ提供する。
【０１７７】
特に、前記フィードバックモード決定器２２１０は、高速フィードバックチャネルの現在モードを確認して、前記現在モード及び前記フィードバック情報の形態と対応するモードが一致の有無を確認する。万一、前記現在モード及び前記フィードバック情報の形態と対応するモードが一致しなければ、前記フィードバックモード決定器２２１０は、モード転換要請のための信号を送信するよう前記ＢＦＣＨ構成器２２１４または前記ＥＦＣＨ構成器２２１６を制御する。例えば、ＢＦＣＨモードからＥＦＣＨモードに転換しようとする場合、前記フィードバックモード決定器２２１０は、前記ＥＦＣＨモードへの転換要請のためのモード転換要請符号列を含むＢＦＣＨを構成するよう前記ＢＦＣＨ構成器２２１４を制御する。例えば、前記モード転換要請符号列は、ＢＦＣＨモードからＥＦＣＨモードへの転換のために専用的に割り当てられたＥ１コード、及び、ＥＦＣＨモードを用いる選好ＭＩＭＯモードを示す符号列の中の一つである。一方、ＥＦＣＨモードからＢＦＣＨモードに転換しようとする場合、前記フィードバックモード決定器２２１０は、前記ＢＦＣＨモードへの転換要請のためのアクティブになったモード転換表示ビットを含むＥＦＣＨを構成するよう前記ＥＦＣＨ構成器２２１６を制御するか、または、前記ＢＦＣＨモードへの転換要請のためのモード転換要請符号列を含むＢＦＣＨを構成するよう前記ＢＦＣＨ構成器２２１４を制御する。例えば、前記モード転換要請符号列は、ＥＦＣＨモードからＢＦＣＨモードへの転換のために専用的に割り当てられたＥ２コード、及び、ＢＦＣＨモードを用いる選好ＭＩＭＯモードを示す符号列の中の一つである。
【０１７８】
前記ＢＦＣＨモードへの転換の際、前記モード転換要請符号列を含むＢＦＣＨ、または前記アクティブになったモード転換表示ビットを含むＥＦＣＨのうちどれが送信されるかは、本発明の実施の形態によって異なる。すなわち、本発明の実施の形態に行う場合、前記モード転換要請符号列を含むＢＦＣＨ、または前記アクティブになったモード転換表示ビットを含むＥＦＣＨのうち、ひとつが選択的に送信される。一方、本発明の他の実施の形態に行う場合、前記アクティブになったモード転換表示ビットを含むＥＦＣＨが送信されて、本発明の更に他の実施の形態に行う場合、前記モード転換要請符号列を含むＢＦＣＨが送信される。
【０１７９】
前記フィードバック情報生成器２２１２は、前記フィードバックモード決定器２２１０によって決定された高速フィードバックチャネルのモードに対応する項目を含むフィードバック情報を生成する。例えば、前記高速フィードバックチャネルのモードがＢＦＣＨモードである場合、前記フィードバック情報生成器２２１２はＣＱＩを示すフィードバック情報を生成する。一方、前記高速フィードバックチャネルのモードがＥＦＣＨモードである場合、前記フィードバック情報生成器２２１２はＣＱＩ、選好サブバンド、プレコーディング行列インデックス、ランクなどを示すフィードバック情報を生成する。
【０１８０】
前記ＢＦＣＨ構成器２２１４は、前記フィードバックモード決定器２２１０から提供されるフィードバック情報を用いてＢＦＣＨを構成する。すなわち、前記ＢＦＣＨ構成器２２１４は、非コーヒレント変調方式によって高速フィードバックチャネルを介して送信されるフィードバック信号を生成する。図２３Ａに示すように、前記ＢＦＣＨ構成器２２１４は符号列選択器２２５２及びチャネル構成器２２５４を含めてから構成される前記符号列選択器２２５２は、前記フィードバック情報と対応する符号列を選択する。言い換えると、前記符号列選択器２２５２は、前記フィードバック情報と対応するペイロードを選択した後、ＢＦＣＨのための符号列のうち前記ペイロードと対応する符号列を選択する。特に、前記フィードバックモード決定器２２１０からモード転換要請符号列を含むＢＦＣＨを構成すると指示される場合、前記符号列選択器２２５２は、前記モード転換要請符号列を出力する前記チャネル構成器２２５４は、前記符号列を用いてＢＦＣＨを構成する。すなわち、前記チャネル構成器２２５４は、前記符号列を複素シンボルに変換して、前記複素シンボルをＢＦＣＨ構造によって配置することによってＢＦＣＨを構成する。
【０１８１】
前記ＥＦＣＨ構成器２２１６は、前記フィードバックモード決定器２２１０から提供されるフィードバック情報を用いてＥＦＣＨを構成する。すなわち、前記ＥＦＣＨ構成器２２１６は、コーヒレント変調方式によって高速フィードバックチャネルを介して送信されるフィードバック信号を生成する。図２３Ｂに示すように、前記ＥＦＣＨ構成器２２１６は符号化器２２６２、シンボル変調器２２６４、チャネル構成器２２６６を含めてから構成される前記符号化器２２６２は、前記フィードバック情報を符号化する。この際、前記符号化器２２６２は前記フィードバックモード決定器２２１０からの指示によってモード転換表示ビットの値を設定する。すなわち、前記フィードバックモード決定器２２１０から活性化されたモード転換表示ビットを含むＥＦＣＨを構成すると指示される場合、前記符号化器２２６２は前記モード転換表示ビットを１に設定する。そして、前記符号化器２２６２は、前記フィードバック情報ビット列及びモード転換表示ビットを符号化する前記シンボル変調器２２６４は、符号化されたフィードバック情報を変調することによってＥＦＣＨを介して送信されるフィードバック情報を示す複素シンボル、すなわち、情報シンボルを生成する。前記チャネル構成器２２６６は、前記情報シンボルを用いてＥＦＣＨを構成する。すなわち、前記チャネル構成器２２６６は、前記情報シンボル及びパイロットシンボルをＥＦＣＨの構造にしたがって配置することによってＥＦＣＨを構成する。
【０１８２】
前記副搬送波マッパー２２１８は、前記ＢＦＣＨ構成器２２１４または前記ＥＦＣＨ構成器２２１４から提供される高速フィードバックチャネルを介して送信される信号を前記高速フィードバックチャネルのために割り当てられた資源にマッピングする。前記ＯＦＤＭ変調器２２２０は、ＦＦＴ（Ｆａｓｔ  Ｆｏｕｒｉｅｒ  Ｔｒａｎｓｆｏｒｍ）演算を介して前記副搬送波マッパー２２１８から提供される周波数領域の信号を時間領域信号に変換した後、ＣＰを挿入することによってＯＦＤＭシンボルを構成する。前記ＲＦ送信器２２２２は、前記ＯＦＤＭ変調器２２２０から提供されるＯＦＤＭシンボルをＲＦ帯域の信号にアップリンク変換した後、アンテナを介して送信する。
【０１８３】
前記図２２に示した前記端末の構成を用いて本発明の実施の形態によるフィードバックチャネルのモード転換動作を説明すると以下のようである。
【０１８４】
前記フィードバックモード決定器２２１０は、前記フィードバックチャネルのモードによって前記ＢＦＣＨ構成器２２１４及び前記ＥＦＣＨ構成器２２１６のフィードバック信号生成動作を制御する
【０１８５】
前記フィードバックチャネルがＢＦＣＨモードに行ってる中、前記フィードバックチャネルのモードをＥＦＣＨモードに転換すると判断されれば、前記フィードバックモード決定器２２１０は前記フィードバックチャネルのモード転換のための信号を前記フィードバックチャネルを介して送信するよう制御して、前記ＥＦＣＨモードに転換する。例えば、前記モード転換のための信号はＢＦＣＨモードによって送信されるモード転換要請符号列である。例えば、前記モード転換要請符号列は、ＢＦＣＨモードからＥＦＣＨモードへの転換のために専用的に割り当てられたＥ１コード、及び、ＥＦＣＨモードを用いる選好ＭＩＭＯモードを示す符号列の中の一つである。万一、基地局の制御によってモードを転換する実施の形態による場合、前記フィードバックモード決定器２２１０は前記基地局から前記ＥＦＣＨモードへの転換を許諾するフィードバックチャネル割り当て情報が受信されると前記ＥＦＣＨモードに転換する。
【０１８６】
前記フィードバックチャネルがＥＦＣＨモードに行ってる中、前記フィードバックチャネルのモードをＢＦＣＨモードに転換すると判断されれば、前記フィードバックモード決定器２２１０は前記フィードバックチャネルのモード転換のための信号を前記フィードバックチャネルを介して送信するよう制御して、前記ＢＦＣＨモードに転換する。例えば、前記モード転換を要請する信号はＢＦＣＨモードによって送信される前記モード変換要請符号列及びＥＦＣＨモードによって送信されるモード転換要請を含むフィードバック情報のうち一つである。例えば、前記モード転換要請符号列は、ＥＦＣＨモードからＢＦＣＨモードへの転換のために専用的に割り当てられたＥ２コード、及び、ＢＦＣＨモードを用いる選好ＭＩＭＯモードを示す符号列の中の一つである。この際、本発明の他の実施の形態による場合、前記フィードバックモード決定器２２１０は前記モード転換要請を含むフィードバック情報送信した後、一時的にＢＦＣＨモードに転換する。これによって、前記フィードバックモード決定器２２１０は前記ＢＦＣＨモードに転換した後、所定区間が経過すると、前記ＥＦＣＨモードにまた転換する。本発明の更に他の実施の形態による場合、前記フィードバックモード決定器２２１０は前記所定区間内で、前記ＢＦＣＨモードの高速フィードバックチャネルを介して送信可能な符号列のうち前記ＥＦＣＨモードから前記ＢＦＣＨモードへの転換要請のために割り当てられた特定符号列を送信するよう制御して、基地局から前記ＢＦＣＨモードへの転換を許諾するフィードバックチャネル割り当て情報が受信されると、前記ＥＦＣＨモードに転換する。追加として、前記フィードバックモード決定器２２１０は予め定められた周期によって前記ＢＦＣＨモードの高速フィードバックチャネルを介して送信されるフィードバック信号を生成するよう前記ＢＦＣＨ構成器２２１４を制御することができる。
【０１８７】
図２４は、本発明の実施の形態に係る広帯域無線通信システムにおける基地局のブロック構成を示している。
【０１８８】
前記図２４に示すように、前記基地局はＲＦ受信器２３０２、ＯＦＤＭ復調器２３０４、副搬送波デマッパー２３０６、フィードバックモード分類器２３０８、ＢＦＣＨ検出器２３１０、ＥＦＣＨ検出器２３１２、フィードバックチャネル管理器２３１４、フィードバック情報分析器２３１６を含めてから構成される。
【０１８９】
前記ＲＦ受信器２３０２は、アンテナを介して受信されたＲＦ帯域の信号をベースバンド信号に変換する。前記ＯＦＤＭ復調器２３０４は、前記ＲＦ受信器２３０２から提供される信号をＯＦＤＭシンボル単位に仕分けした後、ＣＰを除去して、ＦＦＴ演算を介して周波数領域にマッピングされた複素シンボルを復元する。前記副搬送波デマッパー２３０６は、前記周波数領域にマッピングされた複素シンボルのうち高速フィードバックチャネルを介して受信された信号を取り出す。
【０１９０】
前記フィードバックモード分類器２３０８は、高速フィードバックチャネルのモードによって前記高速フィードバックチャネルを介して受信された信号を前記ＢＦＣＨ検出器２３１０、または前記ＥＦＣＨ検出器２３１２に提供する。万一、多数の端末に多数の高速フィードバックチャネルが各々に割り当てた場合、前記フィードバックモード分類器２３０８は、各端末の高速フィードバックチャネルのモードを確認して、確認されたモードによって各端末の高速フィードバックチャネルを介して受信された信号を前記ＢＦＣＨ検出器２３１０、または前記ＥＦＣＨ検出器２３１２に提供する。すなわち、前記多数の各端末の高速フィードバックチャネルのモードは互いに異なることができる。
【０１９１】
前記ＢＦＣＨ検出器２３１０は、ＢＦＣＨモードによって高速フィードバックチャネルを介して受信された信号からフィードバックビット例を検出する。すなわち、前記ＢＦＣＨ検出器２３１０は、非コーヒレント復調方式によって高速フィードバックチャネルを介して受信される信号からフィードバックビット列を検出する。言い換えると、前記ＢＦＣＨ検出器２３１０は候補符号列各々と受信された信号との相関値を用いて送信符号列を検出する。図２５に示すように、前記ＢＦＣＨ検出器２３１０はタイル分配器２３５２、多数の相関器２３５４-1から２３５４-３、多数の自乗器２３５６-1から２３５６-３、合算器２３５８、最大値検索器２３６０、情報変換器２３６２を含めてから構成される。前記タイル分配器２３５２は、前記フィードバックモード分類器２３０８から提供される高速フィードバックチャネルを介して受信された信号をタイル別に分配して、タイル別信号を前記多数の相関器２３５４-１から２３５４-３各々に提供する。前記多数の相関器２３５４-1２３５４-３各々は、担当するタイルを介して受信された信号及びすべての候補符号列各々を相関演算する前記多数の自乗器２３５６-1から２３５６-３各々は、対応する相関器２３５４から提供される相関値を自乗演算する。ここで、前記多数の相関器２３５４-1から２３５４-３及び前記多数の自乗器２３５６-1から２３５６-３の個数は、高速フィードバックチャネルを構成するタイル個数ほどに存在する前記合算器２３５８は、前記多数の自乗器２３５６-１から２３５６-３からの自乗相関値のうち同じ候補符号列から算出された自乗相関値を合算する。すなわち、前記合算器２３５８は候補符号列各々に対応する合計自乗相関値を算出する。前記最大値検索器２３６０は前記合計自乗相関値のうち最大値を検索することによって、送信される符号列を検出する。前記情報変換器２３６２は検出された符号列に対応するペイロードを確認して、前記ペイロードを前記フィードバックチャネル管理器２３１４に提供する。この際、前記検出された符号列がモード転換要請符号列である場合、前記情報変換器２３６２は前記モード転換要請符号列が検出されたことを前記フィードバックチャネル管理器２３１４に知らせる。例えば、前記モード転換要請符号列はＢＦＣＨモードからＥＦＣＨモードへの転換のために専用的に割り当てられたＥ１コード、ＥＦＣＨモードからＢＦＣＨモードへの転換のために専用的に割り当てられたＥ２コード、ＥＦＣＨモードを使用する選好ＭＩＭＯモードを示す符号列、及び、ＢＦＣＨモードを使用する選好ＭＩＭＯモードを示す符号列のうち一つである。
【０１９２】
前記ＥＦＣＨ検出器２３１２は、ＥＦＣＨモードによって高速フィードバックチャネルを介して受信された信号からフィードバックビット例を検出する。すなわち、前記ＥＦＣＨ検出器２３１２は、コーヒレント復調方式によって高速フィードバックチャネルを介して受信される信号からフィードバックビット列を検出する。言い換えると、前記ＥＦＣＨ検出器２３１２はチャネル推定、復調及び復号化を介してフィードバック情報ビット列を検出する。図２６に示すように、前記ＥＦＣＨ検出器２３１２はパイロット抽出器２３７２、チャネル推定器２３７４、歪み補正器２３７６、シンボル復調器２３７８、復号化器２３８０、情報分配器２３８２を含めてから構成される。前記パイロット抽出器２３７２は、前記高速フィードバックチャネルを介して受信された信号のうちパイロットシンボルを抽出した後、パイロットシンボルを前記チャネル推定器２３７４に提供して、情報シンボルを前記歪み補正器２３７６に提供する前記チャネル推定器２３７４は、前記パイロットシンボルを用いて前記高速フィードバックチャネルのチャネルを推定する。前記歪み補正器２３７６は、前記チャネル推定器２３７４により推定されたチャネルを用いて情報シンボルのチャネル歪みを補償する。前記シンボル復調器２３７８は、前記情報シンボルを復調することによって符号化ビット列に変換して、前記復号化器２３８０は前記符号化ビット列を復号することによってフィードバックビット列を復元する前記情報分配器２３８２は、前記フィードバックビット列を情報ビット列及びモード転換表示ビットに分類して、前記情報ビット列を前記フィードバックチャネル管理器２３１４に提供する。そして、前記モード転換表示ビットがアクティブになった場合、前記情報分配器２３８２はアクティブになったモード転換表示ビットが検出されたことを前記フィードバックチャネル管理器２３１４に知らせる。万一、前記フィードバックビット列にエラーが発生した場合、前記情報分配器２３８２は前記フィードバックチャネル管理器２３１４にエラーの発生を知らせる。ここで、前記エラー発生の有無はチャネル復号化の信頼度評価、ＣＲＣ処理結果などを介して判断される。
【０１９３】
前記フィードバックチャネル管理器２３１４は前記ＢＦＣＨ検出器２３１０から提供されるペイロード及び前記ＥＦＣＨ検出器２３１２から提供される情報ビット列を前記フィードバック情報分析器２３１６に提供する。また、前記フィードバックチャネル管理器２３１４は、前記ＢＦＣＨ検出器２３１０のモード転換要請符号列の検出有無の知らせ及び前記ＥＦＣＨ検出器２３１２のアクティブになったモード転換表示ビットの検出有無の知らせによって各の端末の高速フィードバックチャネルのモードを管理する。すなわち、前記ＢＦＣＨ検出器２３１０によりＥＦＣＨモードへの転換を要請する符号列が検出された場合、前記フィードバックチャネル管理器２３１４は、該当端末の高速フィードバックチャネルをＥＦＣＨモードに転換することを決定して、次のフレームで該当端末の高速フィードバックチャネルを介して受信された信号を前記ＥＦＣＨ検出器２３１２に提供するよう前記フィードバックモード分類器２３０８を制御する。または、前記ＢＦＣＨ検出器２３１０によりモード転換要請符号列が検出されるか、または、前記ＥＦＣＨ検出器２３１２によりアクティブになったモード転換表示ビットが検出された場合、前記フィードバック管理器２３１４は該当端末の高速フィードバックチャネルをＢＦＣＨモードに転換することを決定して、次のフレームで該当端末の高速フィードバックチャネルを介して受信された信号を前記ＢＦＣＨ検出器２３１０に提供するよう前記フィードバックモード分類器２３０８を制御する。また、前記ＥＦＣＨ検出器２３１２からフィードバックビット列にエラーが発生するこを知らせた場合、前記フィードバックモード分類器２３０８は高速フィードバックチャネルを介して受信された信号を前記ＢＦＣＨ検出器２３１０に提供するよう前記フィードバックモード分類器２３０８を制御する。
【０１９４】
前記フィードバック情報分析器２３１６は前記フィードバックチャネル管理器２３１４から提供されているフィードバック情報を分析する。すなわち、前記フィードバック情報分析器２３１６は前記フィードバック情報から端末のＣＱＩ、選好サブバンド、プレコーディング行列インデックス、ランクなどの情報を確認する。
【０１９５】
前記図２４及び前記図２６を参考して説明した基地局のブロック構成にて、前記基地局は本発明の実施の形態によってＢＦＣＨモードへの転換のためのモード転換要請符号列及びモード転換表示ビットのアクティブの有無の検出をすべて試みる。しかし、本発明の他の実施の形態による場合、前記基地局は前記ＢＦＣＨモードへの転換のためのモード転換要請符号列の検出を試みないし、これによって、フィードバックビット列にエラーが発生した場合、前記フィードバックモード分類器２３０８が高速フィードバックチャネルを介して受信された信号を前記ＢＦＣＨ検出器２３１０に提供するよう前記フィードバックモード分類器２３０８を制御する動作は略される。また、本発明の更に他の実施の形態による場合、前記基地局はモード転換表示ビットのアクティブの有無の検出を試みないし、これによって、前記ＥＦＣＨ検出器２３１２のモード転換表示ビットのアクティブの有無確認動作は略される。
【０１９６】
前記図２４に示した前記基地局の構成を用いて本発明の実施の形態による端末のフィードバックチャネルのモード転換に対応する動作を説明すると以下のようである。
【０１９７】
前記フィードバックチャネル管理器２３１４は、端末のフィードバックチャネルのモードによって前記ＢＦＣＨ検出器２３１０及び前記ＥＦＣＨ検出器２３１２の動作を制御する。すなわち、前記フィードバックチャネル管理器２３１４は、前記フィードバックチャネルがＢＦＣＨモードである場合、前記ＢＦＣＨ検出器２３１０がフィードバック情報を検出するよう制御して、前記フィードバックチャネルがＥＦＣＨモードである場合、前記ＥＦＣＨ検出器２３１２がフィードバック情報を検出するよう制御する。
【０１９８】
前記フィードバックチャネルがＢＦＣＨモードに行ってる中、前記高速フィードバックチャネルを介して前記ＢＦＣＨモードから前記ＥＦＣＨモードへのモード転換を要請する信号が確認されれば、前記フィードバックチャネル管理器２３１４は前記ＢＦＣＨ検出器２３１０の検出動作を中断させて、前記ＥＦＣＨモードによってフィードバック情報を検出するよう前記ＥＦＣＨ検出器２３１２を制御する。例えば、前記モード転換要請符号列は、ＢＦＣＨモードからＥＦＣＨモードへの転換のために専用的に割り当てられたＥ１コード、及び、ＥＦＣＨモードを用いる選好ＭＩＭＯモードを示す符号列の中の一つである。万一、前記基地局の制御によってモードを転換する実施の形態による場合、前記フィードバックチャネル管理器２３１４は前記ＥＦＣＨ検出器２３１２を動作する前に、前記ＥＦＣＨモードへの転換の受諾の有無を判断して、前記ＥＦＣＨモードへの転換を許諾するフィードバックチャネル割り当て情報を送信するよう制御する。すなわち、示してなかったが、前記基地局は前記フィードバックチャネル割り当て情報を生成するメッセージ生成器及び前記フィードバックチャネル割り当て情報を送信する送信器を含み、前記フィードバックチャネル管理器２３１４は前記メッセージ生成器及び前記送信器を制御する。
【０１９９】
前記フィードバックチャネルがＥＦＣＨモードに行ってる中、前記高速フィードバックチャネルを介して前記ＥＦＣＨモードから前記ＢＦＣＨモードへのモード転換を要請する信号が確認されれば、前記フィードバックチャネル管理器２３１４は前記ＥＦＣＨ検出器２３１２の検出動作を中断させて、前記ＥＦＣＨモードによってフィードバック情報を検出するよう前記ＢＦＣＨ検出器２３１０を制御する。例えば、前記モード転換を要請する信号はＢＦＣＨモードによって送信される前記モード変換要請符号列及びＥＦＣＨモードによって送信されるモード転換要請を含むフィードバック情報のうち一つである。ここで、前記モード転換要請符号列は、ＥＦＣＨモードからＢＦＣＨモードへの転換のために専用的に割り当てられたＥ２コード、及び、ＢＦＣＨモードを用いる選好ＭＩＭＯモードを示す符号列の中の一つである。この際、本発明の他の実施の形態による場合、前記フィードバックチャネル管理器２３１４は前記ＢＦＣＨモードへの転換を一時的に許諾する。これによって、前記フィードバックチャネル管理器２３１４は前記ＢＦＣＨ検出器２３１０が前記ＢＦＣＨモードによってフィードバック情報を検出し始めた後、所定の区間が経過すると、前記ＢＦＣＨ検出器２３１０の検出動作を中断させて、前記ＥＦＣＨモードによってフィードバック情報を検出するよう前記ＥＦＣＨ検出器２３１２を制御する。本発明の更に他の実施の形態による場合、前記所定区間内で、前記ＢＦＣＨモードの高速フィードバックチャネルを介して送信可能な符号列のうち前記ＥＦＣＨモードから前記ＢＦＣＨモードへの転換要請のために割り当てられた特定符号列が受信されると、前記フィードバックチャネル管理器２３１４は前記ＢＦＣＨモードへの転換の受諾の有無を判断した後、前記ＢＦＣＨモードへの転換を許諾するフィードバックチャネル割り当て情報が送信するよう前記メッセージ生成器及び前記送信器を制御する。追加として、前記フィードバックチャネル管理器２３１４は、予め定められた周期によって前記ＢＦＣＨ検出器２３１０が前記高速フィードバックチャネルを介して受信されるフィードバック信号から前記ＢＦＣＨモードによってフィードバック情報を検出するよう制御することができる。
【０２００】
広帯域無線通信システムにおけるフィードバック情報の形態に応じて高速フィードバックチャネルのモードを転換することによって、制限された資源量を有する高速フィードバックチャネルを効率よく運用することができる。
【０２０１】
一方、本発明の詳細な説明では具体的な実施の形態について説明したが、本発明の範囲から逸脱しない範囲内で多様な変形が可能であることは勿論である。したがって、本発明の範囲は、上述の実施の形態に限って決まらず、特許請求の範囲だけでなく、特許請求の範囲と均等なものによって決まらねばならない。
【符号の説明】
【０２０２】
１１１、１１３、１１５  副搬送波束
４１０  情報ビット列
４２０  モード転換表示ビット
５０２、６０２、７０２、８０２、９０２、１００２、１１０２  端末
５０４、６０４、７０４、８０４、９０４、１００４、１１０４  基地局
５１０、６１０、７１０、１０３０  モード転換要請符号列
８１０、９１０、１０１０、１１１０  モード転換要請を含むフィードバック情報
【図１】
0005543461.tif 000005
【図２】
0005543461.tif 000006
【図３】
0005543461.tif 000007
【図４】
0005543461.tif 000008
【図５】
0005543461.tif 000009
【図６】
0005543461.tif 000010
【図７】
0005543461.tif 000011
【図８】
0005543461.tif 000012
【図９】
0005543461.tif 000013
【図１０】
0005543461.tif 000014
【図１１】
0005543461.tif 000015
【図１２】
0005543461.tif 000016
【図１３Ａ】
0005543461.tif 000017
【図１３Ｂ】
0005543461.tif 000018
【図１４】
0005543461.tif 000019
【図１５】
0005543461.tif 000020
【図１６】
0005543461.tif 000021
【図１７】
0005543461.tif 000022
【図１８Ａ】
0005543461.tif 000023
【図１８Ｂ】
0005543461.tif 000024
【図１９】
0005543461.tif 000025
【図２０】
0005543461.tif 000026
【図２１】
0005543461.tif 000027
【図２２】
0005543461.tif 000028
【図２３Ａ】
0005543461.tif 000029
【図２３Ｂ】
0005543461.tif 000030
【図２４】
0005543461.tif 000031
【図２５】
0005543461.tif 000032
【図２６】
0005543461.tif 000033